(57)【要約】記録装置（１）は、内周側エリア（１１１）において、記録予定エリア部分にデータパターンを記録する際に用いられる最適パワーを算出する第１算出手段（２２）と、記録予定エリア部分よりも外周側のエリア部分に、最適パワーでデータパターンを記録する第１制御手段（２２）と、記録予定エリア部分の記録感度と記録予定エリア部分よりも外周側のエリア部分の記録感度との差異を考慮して、記録予定エリア部分よりも外周側のエリア部分において記録条件を調整する際に用いられる調整用パワーを算出する第２算出手段（２２）と、記録予定エリア部分よりも外周側のエリア部分に、調整用パワーで記録条件を調整するためのデータパターンを記録する第２制御手段（２２）と、読取信号を取得する読取手段（１２）と、読取信号のジッタを測定する測定手段（１９）と、ジッタが所望の条件を満たすように記録条件を調整する調整手段（２１）と、最適パワー及び調整された記録条件を用いて、記録予定エリア部分へのデータパターンの記録を開始する第３制御手段（２２）とを備える。
2009016754.tif 000002
【特許請求の範囲】
【請求項１】
内周側エリア及び該内周側エリアの外周側に位置するユーザデータエリアを備える記録媒体に所望のデータパターンを記録する記録手段と、
前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、
前記記録予定エリア部分の外周側の端部よりも更に外周側のエリア部分に、前記最適パワーで前記データパターンを記録するように前記記録手段を制御する第１制御手段と、
前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、
前記記録予定エリア部分の外周側の端部よりも更に外周側のエリア部分に、前記調整用パワーで前記記録条件を調整するための前記データパターンを記録するように前記記録手段を制御する第２制御手段と、
前記第２制御手段の制御により記録された前記データパターンを読み取ることで読取信号を取得する読取手段と、
前記読取信号のジッタを測定する測定手段と、
前記測定手段により測定される前記ジッタが所望の条件を満たすように前記記録条件を調整する調整手段と、
前記最適パワー及び前記調整手段により調整された前記記録条件を用いて、前記記録予定エリア部分への前記データパターンの記録を開始するように記録手段を制御する第３制御手段と
を備えることを特徴とする記録装置。
【請求項２】
前記第２算出手段は、前記第１制御手段の制御により記録された前記データパターンの記録特性が最適となるような前記調整用パワーを算出することを特徴とする請求の範囲第１項に記載の記録装置。
【請求項３】
前記第２算出手段は、前記記録予定エリア部分の記録感度と前記記録予定エリア部分の外周側の端部よりも更に外周側のエリア部分の記録感度との差異が吸収されるような前記調整用パワーを算出することを特徴とする請求の範囲第１項に記載の記録装置。
【請求項４】
前記第１算出手段は、前記記録予定エリア部分に第１の線速度で前記データパターンを記録する前に、前記内周側エリアにおいて、第１の線速度よりも低速な第２の線速度で試し書き用の前記データパターンを記録するように前記記録手段を制御することにより、前記記録予定エリア部分に前記第１の線速度で前記データパターンを記録する際に用いられる最適パワーを算出し、
前記第１制御手段は、前記記録予定エリア部分の外周側の端部よりも更に外周側のエリア部分に、前記最適パワー且つ前記第１の線速度で前記データパターンを記録するように前記記録手段を制御し、
前記第２算出手段は、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記第１の線速度で前記記録手段の記録条件を調整する際に用いられる前記調整用パワーを算出し、
前記第２制御手段は、前記記録予定エリア部分の外周側の端部よりも更に外周側のエリア部分に、前記調整用パワー且つ前記第１の線速度で前記記録条件を調整するための前記データパターンを記録するように前記記録手段を制御し、
前記第３制御手段は、前記最適パワー及び前記調整手段により調整された前記記録条件を用いて、前記第１の線速度で、前記記録予定エリア部分への前記データパターンの記録を開始するように記録手段を制御することを特徴とする請求の範囲第１項に記載の記録装置。
【請求項５】
前記第１算出手段は、前記第１の線速度で前記記録条件を調整するための前記データパターンを前記内周側エリアに記録することができない場合に、前記最適パワーを算出し、
前記第１制御手段は、前記第１の線速度で前記記録条件を調整するための前記データパターンを前記内周側エリアに記録することができない場合に、前記記録予定エリア部分の外周側の端部よりも更に外周側のエリア部分に、前記最適パワー且つ前記第１の線速度で前記データパターンを記録するように前記記録手段を制御し、
前記第２算出手段は、前記第１の線速度で前記記録条件を調整するための前記データパターンを前記内周側エリアに記録することができない場合に、前記調整用パワーを算出し、
前記第２制御手段は、前記第１の線速度で前記記録条件を調整するための前記データパターンを前記内周側エリアに記録することができない場合に、前記記録予定エリア部分の外周側の端部よりも更に外周側のエリア部分に、前記調整用パワー且つ前記第１の線速度で前記記録条件を調整するための前記データパターンを記録するように前記記録手段を制御することを特徴とする請求の範囲第４項に記載の記録装置。
【請求項６】
前記読取信号の振幅レベルを所定の振幅制限値にて制限して振幅制限信号を取得すると共に、該振幅制限信号に対して高域強調フィルタリング処理を行うことで等化補正信号を取得する振幅制限フィルタリング手段と、
前記等化補正信号の前記データパターンを検出する検出手段と
を更に備え、
前記測定手段は、前記読取手段のジッタとして、前記等化補正信号のジッタを測定し、
前記調整手段は、前記検出手段により検出される前記データパターンを参照しながら、前記測定手段により測定される前記ジッタが所望の条件を満たすように前記記録条件を調整することを特徴とする請求の範囲第１項に記載の記録装置。
【請求項７】
前記読取信号に所定のオフセット信号を付加することでオフセット付加信号を取得する付加手段を更に備え、
前記測定手段は、前記オフセット付加信号の前記ジッタを測定することを特徴とする請求の範囲第６項に記載の記録装置。
【請求項８】
前記測定手段は、前記ジッタとして、前記ジッタのうちの記録される前記データパターンの状態に起因したシフトジッタ成分を測定し、
前記調整手段は、前記ジッタとしての前記シフトジッタ成分が前記所望の条件を満たすように前記記録条件を調整することを特徴とする請求の範囲第１項に記載の記録装置。
【請求項９】
前記ジッタが前記所望の条件を満たす状態は、前記シフトジッタ成分が第１所定値以下となる状態であることを特徴とする請求の範囲第８項に記載の情報記録装置。
【請求項１０】
前記ジッタが前記所望の条件を満たす状態は、ランレングスが異なる複数種類の前記データパターン毎の前記シフトジッタ成分が略同一となる状態であることを特徴とする請求の範囲第８項に記載の情報記録装置。
【請求項１１】
内周側エリア及び該内周側エリアの外周側に位置するユーザデータエリアを備える記録媒体に所望のデータパターンを記録する記録手段を備える記録装置における記録方法であって、
前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出工程と、
前記記録予定エリア部分の外周側の端部よりも更に外周側のエリア部分に、前記最適パワーで前記データパターンを記録するように前記記録手段を制御する第１制御工程と、
前記第１制御工程の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出工程と、
前記記録予定エリア部分の外周側の端部よりも更に外周側のエリア部分に、前記調整用パワーで前記記録条件を調整するための前記データパターンを記録するように前記記録手段を制御する第２制御工程と、
前記第２制御工程の制御により記録された前記データパターンを読み取ることで読取信号を取得する読取手段と、
前記読取信号のジッタを測定する測定工程と、
前記測定工程により測定される前記ジッタが所望の条件を満たすように前記記録条件を調整する調整手段と、
前記最適パワー及び前記調整工程により調整された前記記録条件を用いて、前記記録予定エリア部分への前記データパターンの記録を開始するように記録手段を制御する第３制御工程と
を備えることを特徴とする記録方法。
【請求項１２】
内周側エリア及び該内周側エリアの外周側に位置するユーザデータエリアを備える記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える記録装置に備えられたコンピュータを制御する記録制御用のコンピュータプログラムであって、
該コンピュータを、前記記録手段、前記第１算出手段、前記第１制御手段、前記第２算出手段、前記第２制御手段、前記読取手段、前記測定手段、前記調整手段及び前記第３制御手段の少なくとも一部として機能させることを特徴とするコンピュータプログラム。
【請求項１３】
内周側エリア及び該内周側エリアの外周側に位置するユーザデータエリアを備える記録媒体であって、
当該記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える記録装置により前記データパターンが記録されることを特徴とする記録媒体。
【請求項１４】
内周側エリア及び該内周側エリアの外周側に位置するユーザデータエリアを備える記録媒体であって、
当該記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える記録装置により調整された前記記録条件を記録するための記録条件記録エリアを備えることを特徴とする記録媒体。
【発明の詳細な説明】
【技術分野】
【０００１】
本発明は、例えば記録媒体にデータパターンを記録する記録装置及び方法、コンピュータをこのような記録装置として機能させるコンピュータプログラム、並びに記録媒体の技術分野に関する。
【背景技術】
【０００２】
ＤＶＤやＢｌｕ−ｒａｙ  Ｄｉｓｃ等の光ディスクの普及が急速に進んでいる。このような光ディスクにおいては、レーザ光のパワー（具体的には、記録パワー）を適正化するＯＰＣ（Optimum Power Control）について、様々な技術が提案されている。例えば、特許文献１には、ＤＡＯ（Disc At Once）を行う追記型記録媒体において、記録予定のデータの記録量を判別し、データが記録されないエリア部分にＯＰＣパターンを記録することでＯＰＣを行う技術が開示されている。また、特許文献２には、光ディスクの最内周側に配置されたＰＣＡ（Power Calibration Area）及び光ディスクの最外周側に配置されたＰＣＡの夫々で行われたＯＰＣの結果から、２つのＰＣＡの間にデータを記録する際の最適パワーを予測する技術が開示されている。【０００３】
他方で、このようなＯＰＣとは別個に、レーザ光のストラテジ（つまり、記録パルスの形状）を適正化する動作である記録補償動作についても、様々な技術が開示されている。特許文献３には、このような記録補償動作の一例が開示されている。【０００４】
【特許文献１】特開２００６−９９８８９号公報
【特許文献２】特許第３７６５２２３号公報
【特許文献３】特開２０００−２０７７４２号公報
【発明の開示】
【発明が解決しようとする課題】
【０００５】
しかしながら、上述した記録補償動作では、原則として、光ディスクの最内周側に配置されたＰＣＡ（Power Calibration Area）において記録補償動作を行っている。そして、最内周側に配置されたＰＣＡにおいて実現できないような相対的に高速の線速の場合には、光ディスクの最外周側に配置されたＰＣＡ（Power Calibration Area）において記録補償動作を行うことが一般的である。一方で、実際にデータパターンが記録されるのは、２つのＰＣＡの間に位置するユーザデータエリアである。ここで、光ディスク（特に、追記型記録媒体であるＤＶＤ−Ｒ等）では、記録膜となる色素膜がスピンコート法により形成されることが一般的であるため、記録膜の記録感度（特に、最外周側に配置されたＰＣＡでの記録感度とユーザデータエリアでの記録感度と）にばらつきが生ずることが考えられる。このため、仮に特許文献２に開示された技術により、ユーザデータエリアでの最適パワーが予測されたとしても、この最適パワーが、記録補償動作が行われる最外周側に配置されたＰＣＡにおいても最適であるとは限らない。このため、単にＯＰＣにより算出された最適パワーを用いて最外周側に配置されたＰＣＡにおいて記録補償動作を行うと、記録感度のばらつきの影響に起因して、ユーザデータエリアでのデータパターンの記録特性を逆に悪化させてしまいかねないという技術的な問題点を有している。【０００６】
本発明は、例えば上述した従来の問題点に鑑みなされたものであり、例えばより好適な態様で記録補償動作を行うことにより、より好適にストラテジを最適化することができる記録装置及び方法、コンピュータプログラム、並びに記録媒体を提供することを課題とする。
【課題を解決するための手段】
【０００７】
上記課題を解決するために、本発明の記録装置は、内周側エリア及び該内周側エリアの外周側に位置するユーザデータエリアを備える記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える。【０００８】
上記課題を解決するために、本発明の記録方法は、内周側エリア及び該内周側エリアの外周側に位置するユーザデータエリアを備える記録媒体に所望のデータパターンを記録する記録手段を備える記録装置における記録方法であって、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出工程と、前記記録予定エリア部分の外周側の端部よりも更に外周側のエリア部分に、前記最適パワーで前記データパターンを記録するように前記記録手段を制御する第１制御工程と、前記第１制御工程の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出工程と、前記記録予定エリア部分の外周側の端部よりも更に外周側のエリア部分に、前記調整用パワーで前記記録条件を調整するための前記データパターンを記録するように前記記録手段を制御する第２制御工程と、前記第２制御工程の制御により記録された前記データパターンを読み取ることで読取信号を取得する読取手段と、前記読取信号のジッタを測定する測定工程と、前記測定工程により測定される前記ジッタが所望の条件を満たすように前記記録条件を調整する調整手段と、前記最適パワー及び前記調整工程により調整された前記記録条件を用いて、前記記録予定エリア部分への前記データパターンの記録を開始するように記録手段を制御する第３制御工程とを備える。【０００９】
上記課題を解決するために、本発明のコンピュータプログラムは、内周側エリア及び該内周側エリアの外周側に位置するユーザデータエリアを備える記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える記録装置に備えられたコンピュータを制御する記録制御用のコンピュータプログラムであって、該コンピュータを、前記記録手段、前記第１算出手段、前記第１制御手段、前記第２算出手段、前記第２制御手段、前記読取手段、前記測定手段、前記調整手段及び前記第３制御手段の少なくとも一部として機能させる。【００１０】
上記課題を解決するために、本発明の第１の記録媒体は、内周側エリア及び該内周側エリアの外周側に位置するユーザデータエリアを備える記録媒体であって、当該記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える記録装置により記録される。【００１１】
上記課題を解決するために、本発明の第２の記録媒体は、内周側エリア及び該内周側エリアの外周側に位置するユーザデータエリアを備える記録媒体であって、内周側エリア及び該内周側エリアの外周側に位置するユーザデータエリアを備える記録媒体であって、当該記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える記録装置により調整された前記記録条件を記録するための記録条件記録エリアを備える。【００１２】
本発明の作用及び他の利得は次に説明する実施の形態から明らかにされよう。
【図面の簡単な説明】
【００１３】
【図１】第１実施例に係る記録装置の基本構成を概念的に示すブロック図である。
【図２】光ディスクの基本構造を示した概略平面図であり、該光ディスクの半径方向における記録領域構造の図式的概念図である。
【図３】第１実施例に係る記録装置の動作の流れを概念的に示すフローチャートである。
【図４】リードインエリアがプリ記録されている光ディスクを対象とする、記録補償動作を行うためのエリア部分の設定の例を概念的に示すエリア構造図である。
【図５】リードインエリアがプリ記録されていない光ディスクを対象とする、記録補償動作を行うためのエリア部分の設定の例を概念的に示すエリア構造図である。
【図６】記録補償動作を行うためのエリア部分の設定の他の例を概念的に示すエリア構造図である。
【図７】記録補償動作を行うためのレーザ光のパワーの算出動作の流れを概念的に示すフローチャートである。
【図８】データ記録エリアのうちデータパターンが記録される予定であるエリア部分（記録予定エリア部分）における記録特性と、記録補償動作が行われるエリア部分（記録補償エリア）における記録特性とを概念的に示すグラフである。
【図９】図３のステップＳ１０９における記録補償動作の流れを概念的に示すフローチャートである。
【図１０】平均化回路によるジッタの測定動作を読取サンプル値系列上で概念的に示す波形図である。
【図１１】平均化回路の基本構成を概念的に示すブロック図である。
【図１２】記録補償前のデータパターン毎のシフトジッタ成分及び全体としてのシフトジッタ成分、並びに記録補償後のデータパターン毎のシフトジッタ成分及び全体としてのシフトジッタ成分の夫々の状態を概念的に示すグラフである。
【図１３】記録ストラテジの調整動作の第１の態様を概念的に示すタイミングチャートである。
【図１４】記録ストラテジの調整動作の第２の態様を概念的に示すタイミングチャートである。
【図１５】記録ストラテジの調整動作の第３の態様を概念的に示すタイミングチャートである。
【図１６】記録補償動作を行うことなく記録されたデータパターンのトータルジッタ及び第１実施例に係る態様で記録補償動作を行った後に記録されたデータパターンのトータルジッタを概念的に示すグラフである。
【図１７】記録感度の差異を考慮することなくＯＰＣで算出された最適パワーを算出した後に記録補償動作を行った場合の記録特性を概念的に示すグラフである。
【図１８】記録感度の差異を考慮して記録補償動作を行うためのパワーを算出した後に記録補償動作を行った場合の記録特性を概念的に示すグラフである。
【図１９】ジッタ及びアシンメトリと、光ディスクの半径位置とを対応付けたグラフである。
【図２０】感度変化の有無とジッタ及びアシンメトリとの関係を概念的に示すグラフである。
【図２１】記録補償動作を行わない記録装置により記録されたデータパターンのトータルジッタ及びアシンメトリ並びに外周側ＰＣＡで記録補償動作を行った記録装置により記録されたデータパターンのトータルジッタ及びアシンメトリを、光ディスクの半径位置と関連付けて概念的に示す波形図である。
【図２２】第２実施例に係る記録装置の基本構成を概念的に示すブロック図である。
【図２３】第３実施例に係る記録装置の基本構成を概念的に示すブロック図である。
【符号の説明】
【００１４】
１、２、３  記録装置
１０  スピンドルモータ
１１  ピックアップ
１２  ＨＰＦ
１３  Ａ／Ｄ変換器
１４  プリイコライザ
１５  リミットイコライザ
１６  ２値化回路
１７  復号回路
１８  遅延回路
１９  平均化回路
２０  パターン判別回路
２１  記録ストラテジ設定回路
２２  ＣＰＵ
２３  加算器
２４  リファレンスレベル検出部
【発明を実施するための最良の形態】
【００１５】
以下、発明を実施するための最良の形態として、本発明の記録装置及び方法、コンピュータプログラム、並びに記録媒体に係る実施形態の説明を進める。【００１６】
（記録装置の実施形態）
本発明の記録装置に係る実施形態は、内周側エリア及び該内周側エリアの外周側に位置するユーザデータエリアを備える記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える。【００１７】
本発明の記録装置に係る実施形態によれば、記録手段の動作により、レーザ光等が記録媒体に照射される。その結果、記録されるべきデータに応じたデータパターンが記録媒体に記録される。【００１８】
ここで、本実施形態に係る記録装置においては、記録手段によるユーザデータエリアへのデータパターンの記録動作の前に、以下に説明する動作が行われる。【００１９】
まず、第１算出手段の動作により、記録予定エリア部分にデータパターンを記録する際に用いられるレーザ光の最適パワーが算出される。【００２０】
その後、第１制御手段の制御により、記録予定エリア部分の外周側の端部よりも更に外周側のエリア部分（つまり、記録されるべきデータに応じたデータパターンが記録される予定のないユーザデータエリアのエリア部分）に最適パワーのレーザ光が照射され、その結果、データパターンが記録される。【００２１】
その後、第２算出手段の動作により、第１制御手段の制御により記録されたデータパターンが読み取られる。この読取結果は、記録予定エリア部分の外周側の端部よりも更に外周側のエリア部分（言い換えれば、記録条件を調整するためのデータパターンが記録されるエリア部分であって、記録補償動作が行われるエリア部分）の記録感度を直接的に又は間接的に示している。他方で、第１算出手段の動作により記録される試し書き用のデータパターンの読取結果は、記録予定エリア部分の記録感度を直接的に又は間接的に示している。このため、記録予定エリア部分の記録感度と、記録補償動作が行われるエリア部分の記録感度との差異が判明する。第２算出手段は、この記録感度の差異を考慮して、記録予定エリア部分の外周側の端部よりも更に外周側のエリア部分において記録条件を調整する際に用いられる調整用パワーを算出する。【００２２】
その後、実際に記録補償動作が行われる。具体的には、まず、第２制御手段の制御により、記録予定エリア部分の外周側の端部よりも更に外周側のエリア部分に、調整パワーのレーザ光が照射され、その結果、記録手段の記録条件を調整するためのデータパターンが記録される。つまり、記録されるべきデータに応じたデータパターンが記録される予定のないユーザデータエリアのエリア部分に、記録手段の記録条件を調整するためのデータパターンが記録される。【００２３】
その後、読取手段の動作により、記録予定エリア部分の外周側の端部よりも更に外周側のエリア部分に記録されたデータパターンが読み取られる。その結果、読取信号が取得される。その後、測定手段の動作により、読取信号のジッタが検出される。その後は、調整手段の動作により、検出されるジッタが所望の条件を満たすように、記録手段における記録条件が調整される。【００２４】
記録条件の調整がなされた後、第３制御手段の制御により、ユーザデータエリアへのデータパターンの記録が実際に開始される。この場合、レーザ光のパワーは、第１算出手段により算出された最適パワーに設定され、記録条件は、調整手段により調整された記録条件に設定される。【００２５】
これにより、記録条件の調整がなされた後に記録されるデータパターンを読み取ることで得られる読取信号のジッタは、所望の条件を満たしている。従って、読取信号の読取品質（言い換えれば、記録品質ないしは再生品質）を向上させることができる。【００２６】
特に、本実施形態においては、記録条件を調整するためのデータパターンを記録する前に（つまり、記録補償動作を行う前に）、記録予定エリア部分の記録感度と記録補償動作が行われるエリア部分の記録感度との差異を考慮して、レーザ光のパワーが補正される。【００２７】
ここで、記録感度の差異を考慮することなく、記録予定エリア部分での最適パワーを用いて、記録予定エリア部分の外周側の端部よりも更に外周側のエリア部分で記録補償動作を行う（つまり、記録条件を調整するためのデータパターンを記録する）動作について検討する。この場合、記録予定エリア部分での最適パワーが、記録補償動作が行われるエリア部分においても最適であるとは限らないため、記録補償動作が行われるエリア部分において最適でないパワーで記録補償動作が行われることになりかねない。これは、記録条件の好適な調整を行うという目的から見れば好ましくない。【００２８】
しかるに、本実施形態では、上述の如く記録感度の差異を考慮して、記録補償動作を行うためのレーザ光のパワーが算出されるため、記録補償動作が行われるエリア部分において最適な調整パワーで記録補償動作が行われる。その一方で、実際にユーザデータエリアに記録されるべきデータに応じたデータパターンを記録する際には、第１算出手段により算出された最適パワー及び調整手段により調整された記録条件が用いられるため、ユーザデータエリアにデータパターンを好適に記録することができる。つまり、データパターンの記録品質を悪化させることなく、データパターンを記録することができる。【００２９】
加えて、本実施形態においては、最内周側又は最外周側に配置されるＰＣＡ等のエリア部分と比較して、実際にデータパターンが記録されるユーザデータエリアのエリア部分（つまり、記録予定エリア部分）により近いエリア部分にデータパターンを記録することにより、記録補償動作を行うことができる。このため、記録補償動作が行われるエリア部分の特性（例えば、記録感度）と実際に記録されるべきデータに応じたデータパターンが記録されるエリア部分との特性（例えば、記録感度）とが大きくかけ離れる事態は少なくなる。これにより、最内周側又は最外周側に配置されるＰＣＡ等のエリア部分において記録補償動作を行う場合と比較して、記録補償動作により最適化された記録条件が、実際にデータパターンが記録されるエリア部分においても好適である又は最適である可能性が高くなる。つまり、より好適な態様で記録補償動作を行うことにより、より好適に記録条件を最適化することができる。従って、記録補償動作により最適化された記録条件を用いて、ユーザデータエリアにデータパターンを好適に記録することができる。【００３０】
尚、本実施形態では、上述した記録感度を考慮した補正により、記録予定エリア部分と、記録補償動作が行われるエリア部分とが離れた位置に存在していたとしても、特段の問題は生じないと考えられる。しかしながら、記録予定エリア部分の特性と記録補償動作が行われるエリア部分との特性が近ければ近いほど好ましいという事実を考慮すれば、記録予定エリア部分と記録補償動作が行われるエリア部分とがより近接する関係にある方が好ましい。この点において、本実施形態では、より一層好適な記録補償動作を行うことができるという大きな効果を享受することができる。【００３１】
また、上述した背景技術（特に、特許文献３）では、ＯＰＣ用の特別なデータパターンが記録される。このため、特別なデータパターンが記録されるエリア部分を記録予定エリア部分に近づけることは、該特別なデータパターンを再生装置が誤って読み取ってしまった場合に動作の暴走を招きかねないことを考慮すると、好ましくない。一方で、本実施形態によれば、記録補償動作を行うためには、通常のデータパターンが記録される。このため、通常のデータパターンが記録されるエリア部分を記録予定部分に近づけることにより再生装置が該データパターンを読み取ってしまったとしても、動作の暴走を招くことはない。この点においても、本実施形態によれば、背景技術と比較して、十分に優れた効果を享受することができる。【００３２】
本発明の記録装置に係る実施形態の一の態様では、前記第２算出手段は、前記第１制御手段の制御により記録された前記データパターンの記録特性が最適となるような前記調整用パワーを算出する。【００３３】
この態様によれば、記録予定エリア部分の記録感度と記録補償動作が行われるエリア部分との記録感度との差異を考慮して、記録補償動作が行われるエリア部分において最適な調整パワーで記録補償動作を行うことができる。このため、データパターンの記録品質を向上させることができる。【００３４】
本発明の記録装置に係る実施形態の他の態様では、前記第２算出手段は、前記記録予定エリア部分の記録感度と前記記録予定エリア部分の外周側の端部よりも更に外周側のエリア部分の記録感度との差異が吸収される（言い換えれば、打ち消される）ような前記調整用パワーを算出する。【００３５】
この態様によれば、記録予定エリア部分の記録感度と記録補償動作が行われるエリア部分との記録感度との差異を考慮して、記録補償動作が行われるエリア部分において最適な調整パワーで記録補償動作を行うことができる。このため、最適パワーで記録された、ユーザデータエリアに記録されるべきデータに応じたデータパターンの記録品質を向上させることができる。【００３６】
本発明の記録装置に係る実施形態の他の態様では、前記第１算出手段は、前記記録予定エリア部分に第１の線速度で前記データパターンを記録する前に、前記内周側エリアにおいて、第１の線速度よりも低速な第２の線速度で試し書き用の前記データパターンを記録するように前記記録手段を制御することにより、前記記録予定エリア部分に前記第１の線速度で前記データパターンを記録する際に用いられる最適パワーを算出し、前記第１制御手段は、前記記録予定エリア部分の外周側の端部よりも更に外周側のエリア部分に、前記最適パワー且つ前記第１の線速度で前記データパターンを記録するように前記記録手段を制御し、前記第２算出手段は、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記第１の線速度で前記記録手段の記録条件を調整する際に用いられる前記調整用パワーを算出し、前記第２制御手段は、前記記録予定エリア部分の外周側の端部よりも更に外周側のエリア部分に、前記調整用パワー且つ前記第１の線速度で前記記録条件を調整するための前記データパターンを記録するように前記記録手段を制御し、前記第３制御手段は、前記最適パワー及び前記調整手段により調整された前記記録条件を用いて、前記第１の線速度で、前記記録予定エリア部分への前記データパターンの記録を開始するように記録手段を制御する。【００３７】
この態様によれば、まず、第１算出手段の動作により、第２の線速度で内周側エリアに記録された試し書き用のデータパターンに基づいて、第１の線速度で記録予定エリア部分にデータパターンを記録する際に用いられるレーザ光の最適パワーが算出される。言い換えれば、内周側エリアにおいて実現することができない第１の線速度に代えて、内周側エリアにおいて実現することができる第２の線速度で試し書き用のデータパターンを記録することにより、第１の線速度で記録予定エリアにデータパターンを記録する際に用いられる最適パワーが算出される。【００３８】
ここでは、第１算出手段は、内周側エリアにおいて実現することができる第２の線速度で記録された試し書き用のデータパターンを読み取った結果に基づいて、内周側エリアにおいて実現することができない第１の線速度で用いられる最適パワーを予測ないしは推測するように構成されてもよい。その場合、後述するように、上述した予測動作を可能とならしめる特別な記録ストラテジ（つまり、記録条件）を用いて試し書き用のデータパターンを記録するように構成してもよい。或いは、試し書き用のデータパターンの記録品質と記録パワーとの相関関係に基づいて、内周側エリア以外のエリア部分の最適パワーを補間により予測するように構成してもよい。【００３９】
その後、第１制御手段の制御により、記録予定エリア部分の外周側の端部よりも更に外周側のエリア部分（つまり、記録されるべきデータに応じたデータパターンが記録される予定のないユーザデータエリアのエリア部分）に、第１の線速度で最適パワーのレーザ光が照射され、その結果、データパターンが記録される。【００４０】
その後、第２算出手段の動作により、記録感度の差異を考慮して、記録予定エリア部分の外周側の端部よりも更に外周側のエリア部分において第１の線速度で記録条件を調整する際に用いられる調整用パワーを算出する。【００４１】
その後、実際に記録補償動作が行われる。具体的には、まず、第２制御手段の制御により、記録予定エリア部分の外周側の端部よりも更に外周側のエリア部分に、第１の線速度で調整パワーのレーザ光が照射され、その結果、記録手段の記録条件を調整するためのデータパターンが記録される。つまり、記録されるべきデータに応じたデータパターンが記録される予定のないユーザデータエリアのエリア部分に、記録手段の記録条件を調整するためのデータパターンが記録される。【００４２】
その後、読取手段の動作により、記録予定エリア部分の外周側の端部よりも更に外周側のエリア部分に記録されたデータパターンが読み取られる。その結果、読取信号が取得される。その後、測定手段の動作により、読取信号のジッタが検出される。その後は、調整手段の動作により、検出されるジッタが所望の条件を満たすように、記録手段における記録条件が調整される。【００４３】
記録条件の調整がなされた後、第３制御手段の制御により、第１の線速度でユーザデータエリアへの記録されるべきデータに応じたデータパターンの記録が実際に開始される。この場合、レーザ光のパワーは、第１算出手段により算出された最適パワーに設定され、記録条件は、調整手段により調整された記録条件に設定される。【００４４】
この態様では、前記第１算出手段は、前記第１の線速度で前記記録条件を調整するための前記データパターンを前記内周側エリアに記録することができない場合に、前記最適パワーを算出し、前記第１制御手段は、前記第１の線速度で前記記録条件を調整するための前記データパターンを前記内周側エリアに記録することができない場合に、前記記録予定エリア部分の外周側の端部よりも更に外周側のエリア部分に、前記最適パワー且つ前記第１の線速度で前記データパターンを記録するように前記記録手段を制御し、前記第２算出手段は、前記第１の線速度で前記記録条件を調整するための前記データパターンを前記内周側エリアに記録することができない場合に、前記調整用パワーを算出し、前記第２制御手段は、前記第１の線速度で前記記録条件を調整するための前記データパターンを前記内周側エリアに記録することができない場合に、前記記録予定エリア部分の外周側の端部よりも更に外周側のエリア部分に、前記調整用パワー且つ前記第１の線速度で前記記録条件を調整するための前記データパターンを記録するように前記記録手段を制御するように構成してもよい。【００４５】
このように構成すれば、内周側に配置された内周側エリア（例えば、ＰＣＡ）において実現できないような相対的に高速の線速度の場合には、最外周側に配置された外周側エリアにおいて記録補償動作を行うことに代えて、実際に記録されるべきデータに応じたデータパターンが記録されるユーザデータのエリア部分（つま、記録予定エリア部分）により近いエリア部分において記録補償動作を行うことができる。このため、記録特性が大きく変化してしまいかねない最外周側のエリア部分において記録補償動作を行う必要がなくなる。このように、より好適な態様で記録補償動作を行うことにより、より好適に記録条件を最適化することができる。【００４６】
本発明の記録装置に係る実施形態の他の態様では、前記読取信号の振幅レベルを所定の振幅制限値にて制限して振幅制限信号を取得すると共に、該振幅制限信号に対して高域強調フィルタリング処理を行うことで等化補正信号を取得する振幅制限フィルタリング手段と、前記等化補正信号の前記データパターンを検出する検出手段とを更に備え、前記測定手段は、前記読取手段のジッタとして、前記等化補正信号のジッタを測定し、前記調整手段は、前記検出手段により検出される前記データパターンを参照しながら、前記測定手段により測定される前記ジッタが所望の条件を満たすように前記記録条件を調整する。【００４７】
この態様によれば、振幅制限フィルタリング手段の動作により、読取信号の振幅レベルが制限される。具体的には、読取信号のうち振幅レベルが振幅制限値の上限よりも大きい又は下限より小さい信号成分は、振幅レベルが振幅制限値の上限又は下限に制限される。他方、読取信号のうち振幅レベルが振幅制限値の上限以下且つ下限以上である信号成分は、振幅レベルが制限されることはない。このように振幅レベルの制限が施された読取信号を、振幅制限信号と称する。更に、振幅制限フィルタリング手段は、振幅制限信号に対して高域強調フィルタリング処理を行う。その結果、読取信号中に含まれる最短データパターン（例えば、情報記録媒体がＤＶＤであれば、ランレングスが３Ｔのデータパターンであり、情報記録媒体がＢｌｕ−ｒａｙ  Ｄｉｓｃであれば、ランレングスが２Ｔのデータパターン）の振幅レベルが強調された状態にある等化補正信号が取得される。つまり、振幅制限フィルタリング手段は、いわゆるリミットイコライザと同様の動作を読取信号に対して行う。【００４８】
その後、測定手段の動作により、読取信号のジッタが測定されることに代えて、等化補正信号のジッタが測定される。つまり、この態様においては、記録媒体からデータパターンを読み取ることで得られる読取信号を直接的に用いてジッタを測定することに代えて、読取信号に対して振幅制限処理及び高域強調フィルタリング処理が施されることで得られる等化補正信号を用いてジッタが測定される。【００４９】
更に、検出手段の動作により、等化補正信号のデータパターンが検出される。より具体的には、等化補正信号のデータパターンが、いずれのランレングスのデータパターンであるかが検出される。検出されたデータパターンは、調整手段による記録条件の調整動作の際に参照される。【００５０】
このように、振幅制限フィルタリング手段（つまり、リミットイコライザ）の動作により最短データパターンの振幅レベルが強調された等化補正信号からデータパターンが検出される。このため、仮に読取信号のアシンメトリがどのような状態であったとしても、読取信号中に含まれる最短データパターンがゼロレベルと交差しなくなる不都合を好適に防ぐことができる。その結果、最短データパターンの検出を好適に行うことができる。このため、最短データパターンを記録するための記録条件を好適に調整することができる。これにより、最短データパターンを含む読取信号を参照しながら、記録補償動作を好適に行うことができる。つまり、記録補償前の読取信号におけるアシンメトリの状態に関わらず、記録補償動作を好適に行うことができる。【００５１】
本発明の記録装置に係る実施形態の他の態様では、前記読取信号に所定のオフセット信号を付加することでオフセット付加信号を取得する付加手段を更に備え、前記測定手段は、前記オフセット付加信号の前記ジッタを測定する。【００５２】
この態様によれば、オフセット付加信号のジッタが測定される。尚、オフセット信号は、記録補償動作後の読取信号のアシンメトリを所望の値に設定することができるような信号が適宜設定されることが好ましい。このため、オフセット信号の付加に応じて、記録補償動作前の読取信号のアシンメトリの状態にかかわらず、記録補償後の読取信号のアシンメトリを所望の値に設定することができる。【００５３】
本発明の記録装置に係る実施形態の他の態様では、前記測定手段は、前記ジッタとして、前記ジッタのうちの記録される前記データパターンの状態に起因したシフトジッタ成分を測定し、前記調整手段は、前記ジッタとしての前記シフトジッタ成分が前記所望の条件を満たすように前記記録条件を調整する。【００５４】
この態様によれば、容易に予測することが困難又は不可能なランダムジッタ成分ではなく、記録条件にて左右されるデータパターンの状態に起因したシフトジッタ成分を測定している。従って、記録条件を調整することで、比較的容易に、シフトジッタ成分が所望の条件となるような記録補償動作を好適に行うことができる。【００５５】
上述の如くシフトジッタ成分が所望の条件を満たすように記録条件を調整する記録装置の態様では、前記ジッタが前記所望の条件を満たす状態は、前記シフトジッタ成分が第１所定値以下となる状態であるように構成してもよい。【００５６】
このように構成すれば、シフトジッタ成分が小さくなるような記録補償動作を好適に行うことができる。【００５７】
上述の如くシフトジッタ成分が所望の条件を満たすように記録条件を調整する記録装置の態様では、前記ジッタが前記所望の条件を満たす状態は、ランレングスが異なる複数種類の前記データパターン毎の前記シフトジッタ成分が略同一となる状態であるように構成してもよい。【００５８】
このように構成すれば、複数種類のデータパターン（例えば、記録媒体がＤＶＤであれば、ランレングスが３Ｔから１１Ｔ及び１４Ｔの１０種類のデータパターンであり、記録媒体がＢｌｕ−ｒａｙ  Ｄｉｓｃであれば、ランレングスが２Ｔから９Ｔの７種類のデータパターン）毎に、シフトジッタ成分を揃えることができる。つまり、データパターン毎のジッタ分布を狭くすることに代えて、データパターン毎のジッタ分布の平均値（つまり、シフトジッタ成分）を揃えることができる。これにより、好適に且つ比較的容易にジッタを低減させる記録補償動作を行うことができる。【００５９】
上述の如くシフトジッタ成分が所望の条件を満たすように記録条件を調整する記録装置の態様では、前記ジッタが前記所望の条件を満たす状態は、前記ジッタのうちのノイズに起因したランダムジッタ成分が、前記ジッタに占める比率が第２所定値以上となる状態であるように構成してもよい。【００６０】
ジッタは、ランダムジッタ成分の２乗とシフトジッタ成分の２乗との和の平方根にて示される。このため、ランダムジッタ成分がシフトジッタ成分と比較して大きければ（つまり、ランダムジッタ成分がジッタに占める比率が相対的に大きければ）、シフトジッタ成分を低減しても、ジッタは低減しにくくなる。従って、このように構成すれば、記録条件の調整によってジッタの低減効果が好適に得られるような記録補償動作を行うことができる。言い換えれば、記録条件の調整によってジッタの低減効果が好適に得られない非効率な記録補償動作が行われる状態を好適に避けることができる。【００６１】
上述の如くシフトジッタ成分が所望の条件を満たすように記録条件を調整する記録装置の態様では、前記測定手段は、ゼロレベルとなる点に最も近接する前記読取信号又は前記等化補正信号のサンプル値の前記データパターン毎の平均値を、前記シフトジッタ成分として測定するように構成してもよい。【００６２】
このように構成すれば、シフトジッタ成分を好適に且つ比較的容易に測定することが出きる。【００６３】
上述の如くシフトジッタ成分が所望の条件を満たすように記録条件を調整する記録装置の態様では、前記調整手段は、ランレングスが異なる複数種類の前記データパターンのうち前記シフトジッタ成分が相対的に大きいデータパターンを記録する際の前記記録条件から優先的に調整するように構成してもよい。【００６４】
このように構成すれば、データパターン毎の記録条件をランダムに調整する構成と比較して、より効率的にジッタを低減させることができる。【００６５】
本発明の記録装置に係る実施形態の他の態様は、前記記録手段は、レーザ光を照射することで前記データパターンを記録し、前記記録条件は、前記レーザ光又は該レーザ光を駆動するための駆動パルスのパルス幅及び振幅の少なくとも一つである。【００６６】
このように構成すれば、レーザ光又は駆動パルスのパルス幅や振幅を調整することで、記録補償動作を好適に行うことができる。【００６７】
本発明の記録装置に係る実施形態の他の態様は、前記記録手段は、前記調整手段により調整された前記記録条件を記録する。この場合、記録条件は、記録装置を識別するための識別情報と対応付けて記録することが好ましい。【００６８】
この態様によれば、記録装置の識別情報と、記録条件とが記録媒体に記録される。このため、記録装置によるデータパターンの記録が行われる際に、当該記録装置の識別情報と対応する記録条件を記録媒体から読み取り且つ記録手段の記録条件として用いることで、記録条件をわざわざ調整しなくても、記録媒体に対する記録動作において、上述した各種効果と同様の効果を享受することができる。【００６９】
また、記録媒体がブランクである等の理由により、記録媒体に記録条件が記録されていなかったとしても、本実施形態においては、上述したように記録補償動作を好適に行うことができる。そして、この結果得られる記録条件を、記録装置の識別情報と対応させて、記録媒体に記録しておけば、次にデータパターンを記録する際には、わざわざ記録条件を調整しなくても、記録媒体に対する記録において、上述した各種効果と同様の効果を享受することができる。【００７０】
つまり、この態様によれば、調整手段による記録条件の調整を行うことなく又は少なくとも１回記録条件の調整を行えば、対応する記録装置において、わざわざ記録条件を調整しなくても、記録媒体に対する記録において、上述した各種効果と同様の効果を享受することができる。【００７１】
（記録方法の実施形態）
本発明の記録方法に係る実施形態は、内周側エリア及び該内周側エリアの外周側に位置するユーザデータエリアを備える記録媒体に所望のデータパターンを記録する記録手段を備える記録装置における記録方法であって、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出工程と、前記記録予定エリア部分の外周側の端部よりも更に外周側のエリア部分に、前記最適パワーで前記データパターンを記録するように前記記録手段を制御する第１制御工程と、前記第１制御工程の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出工程と、前記記録予定エリア部分の外周側の端部よりも更に外周側のエリア部分に、前記調整用パワーで前記記録条件を調整するための前記データパターンを記録するように前記記録手段を制御する第２制御工程と、前記第２制御工程の制御により記録された前記データパターンを読み取ることで読取信号を取得する読取手段と、前記読取信号のジッタを測定する測定工程と、前記測定工程により測定される前記ジッタが所望の条件を満たすように前記記録条件を調整する調整手段と、前記最適パワー及び前記調整工程により調整された前記記録条件を用いて、前記記録予定エリア部分への前記データパターンの記録を開始するように記録手段を制御する第３制御工程とを備える。【００７２】
本発明の記録方法に係る実施形態によれば、上述した本発明の記録装置に係る実施形態が享受することができる各種効果と同様の効果を享受することができる。【００７３】
尚、上述した本発明の記録装置に係る実施形態における各種態様に対応して、本発明の記録方法に係る実施形態も各種態様を採ることが可能である。【００７４】
（コンピュータプログラムの実施形態）
本発明のコンピュータプログラムに係る実施形態は、内周側エリア及び該内周側エリアの外周側に位置するユーザデータエリアを備える記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える記録装置（即ち、上述した本発明の記録装置に係る実施形態（但し、その各種態様を含む））に備えられたコンピュータを制御する記録制御用のコンピュータプログラムであって、該コンピュータを、前記記録手段、前記第１算出手段、前記第１制御手段、前記第２算出手段、前記第２制御手段、前記読取手段、前記測定手段、前記調整手段及び前記第３制御手段の少なくとも一部として機能させる。【００７５】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の記録装置に係る実施形態を比較的簡単に実現できる。【００７６】
尚、上述した本発明の記録装置に係る実施形態における各種態様に対応して、本発明のコンピュータプログラムに係る実施形態も各種態様を採ることが可能である。【００７７】
本発明のコンピュータプログラム製品に係る実施形態は、内周側エリア及び該内周側エリアの外周側に位置するユーザデータエリアを備える記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える記録装置（即ち、上述した本発明の記録装置に係る実施形態（但し、その各種態様を含む））に備えられたコンピュータにより実行可能なプログラム命令を明白に具現化し、該コンピュータを、前記記録手段、前記第１算出手段、前記第１制御手段、前記第２算出手段、前記第２制御手段、前記読取手段、前記測定手段、前記調整手段及び前記第３制御手段のうち少なくとも一部として機能させる。【００７８】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の記録装置に係る実施形態を比較的容易に実施可能となる。更に具体的には、当該コンピュータプログラム製品は、上述した本発明の記録装置に係る実施形態として機能させるコンピュータ読取可能なコード（或いはコンピュータ読取可能な命令）から構成されてよい。【００７９】
尚、上述した本発明の記録装置に係る実施形態における各種態様に対応して、本発明のコンピュータプログラム製品に係る実施形態も各種態様を採ることが可能である。【００８０】
（記録媒体の実施形態）
本発明の記録媒体に係る第１実施形態は、内周側エリア及び該内周側エリアの外周側に位置するユーザデータエリアを備える記録媒体であって、当該記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える記録装置により前記データパターンが記録される。【００８１】
本発明の記録媒体に係る第２実施形態は、内周側エリア及び該内周側エリアの外周側に位置するユーザデータエリアを備える記録媒体であって、内周側エリア及び該内周側エリアの外周側に位置するユーザデータエリアを備える記録媒体であって、当該記録媒体に所望のデータパターンを記録する記録手段と、前記記録手段により前記データパターンが記録されることが予定される前記ユーザデータエリア内のエリア部分である記録予定エリア部分に前記データパターンを記録する前に、前記記録予定エリア部分に前記データパターンを記録する際に用いられる最適パワーを算出する第１算出手段と、前記記録予定エリア部分の外周側の端部よりも更に外周側のエリア部分に、前記最適パワーで前記データパターンを記録するように前記記録手段を制御する第１制御手段と、前記第１制御手段の制御により記録された前記データパターンを読み取ることで、前記記録予定エリア部分の記録感度と前記記録予定エリア部分の外周側の端部よりも更に外周側のエリア部分の記録感度との差異を考慮して、前記記録予定エリア部分の外周側の端部よりも更に外周側のエリア部分において前記記録手段の記録条件を調整する際に用いられる調整用パワーを算出する第２算出手段と、前記記録予定エリア部分の外周側の端部よりも更に外周側のエリア部分に、前記調整用パワーで前記記録条件を調整するための前記データパターンを記録するように前記記録手段を制御する第２制御手段と、前記第２制御手段の制御により記録された前記データパターンを読み取ることで読取信号を取得する読取手段と、前記読取信号のジッタを測定する測定手段と、前記測定手段により測定される前記ジッタが所望の条件を満たすように前記記録条件を調整する調整手段と、前記最適パワー及び前記調整手段により調整された前記記録条件を用いて、前記記録予定エリア部分への前記データパターンの記録を開始するように記録手段を制御する第３制御手段とを備える記録装置により調整された前記記録条件を記録するための記録条件記録エリアを備える。この場合、記録条件は、当該記録条件に対応する記録装置を識別するための識別情報と対応付けて記録することが好ましい。【００８２】
本発明の記録媒体に係る各実施形態によれば、記録装置の識別情報と、記録条件とが記録媒体に記録される。このため、記録装置によるデータパターンの記録が行われる際に、当該記録媒体の識別情報と対応する記録条件を記録媒体から読み取り且つ記録手段の記録条件として用いることで、記録条件をわざわざ調整しなくても、記録媒体に対する記録動作において、上述した各種効果と同様の効果を享受することができる。【００８３】
また、記録媒体がブランクである等の理由により、記録媒体に記録条件が記録されていなかったとしても、本実施形態においては、上述したように記録補償動作を好適に行うことができる。そして、この結果得られる記録条件を、記録装置の識別情報と対応させて、記録媒体に記録しておけば、次にデータパターンを記録する際には、わざわざ記録条件を調整しなくても、記録媒体に対する記録において、上述した各種効果と同様の効果を享受することができる。【００８４】
つまり、この態様によれば、調整手段による記録条件の調整を行うことなく又は少なくとも１回記録条件の調整を行えば、対応する記録装置において、わざわざ記録条件を調整しなくても、記録媒体に対する記録において、上述した各種効果と同様の効果を享受することができる。【００８５】
尚、記録条件は、記録媒体に予め記録されていてもよいし、或いは記録動作に伴って適宜記録されてもよい。【００８６】
尚、上述した本発明の記録装置に係る実施形態における各種態様に対応して、本発明の記録媒体に係る各実施形態も各種態様を採ることが可能である。【００８７】
本実施形態のこのような作用及び他の利得は次に説明する実施例から更に明らかにされよう。【００８８】
以上説明したように、本発明の記録装置に係る実施形態によれば、記録手段と、第１算出手段と、第１制御手段と、第２算出手段と、第２制御手段と、読取手段と、測定手段と、調整手段と、第３制御手段とを備える。本発明の情報記録方法に係る実施形態によれば、第１算出工程と、第１制御工程と、第２算出工程と、第２制御手段工程と、読取工程と、測定工程と、調整工程と、第３制御工程とを備える。本発明のコンピュータプログラムに係る実施形態によれば、コンピュータを本発明の記録装置に係る実施形態として機能させる。本発明の記録媒体に係る各実施形態によれば、上述の記録装置によりデータパターンが記録される又は上述の調整手段により調整された記録条件を記録するための記録条件記録エリアを備える。従って、より好適な態様で記録補償動作を行うことにより、より好適にストラテジを最適化することができる。
【実施例】
【００８９】
以下、本発明の実施例を図面に基づいて説明する。【００９０】
（１）第１実施例
初めに、図１から図２１を参照して、本発明の記録装置に係る第１実施例について説明する。【００９１】
（１−１）基本構成
初めに、図１を参照して、第１実施例に係る記録装置の基本構成について説明を進める。ここに、図１は、第１実施例に係る記録装置１の基本構成を概念的に示すブロック図である。【００９２】
図１に示すように、第１実施例に係る記録装置１は、スピンドルモータ１０と、ピックアップ（ＰＵ：Pick Up）１１と、ＨＰＦ（High Pass Filter）１２と、Ａ／Ｄ変換器１３と、プリイコライザ（Pre Equalizer）１４と、２値化回路１６と、復号回路１７と、遅延回路１８と、平均化回路１９と、パターン判別回路２０と、記録ストラテジ調整回路２１と、ＣＰＵ２２とを備えている。【００９３】
ピックアップ１１は、本発明における「記録手段」及び「読取手段」の一具体例を構成しており、スピンドルモータ１０によって回転する光ディスク１００の記録面にレーザ光ＬＢを照射した際の反射光を光電変換して、光ディスク１００に記録されたデータパターに応じた読取信号ＲＲＦを生成する。また、ピックアップ１１は、記録ストラテジ設定回路２１において設定される記録ストラテジに応じたレーザ光ＬＢを光ディスク１００の記録面に照射することで、光ディスク１００に対してデータパターンを記録する。【００９４】
ＨＰＦ１２は、ピックアップ１１より出力される読取信号ＲＲＦの低域成分を除去し、その結果得られる読取信号ＲＨＣをＡ／Ｄ変換器１３へ出力する。【００９５】
Ａ／Ｄ変換器１３は、不図示のＰＬＬ（Phased Lock Loop）等から出力されるサンプリングクロックに応じて読取信号ＲＲＦをサンプリングし、その結果得られる読取サンプル値系列ＲＳをプリイコライザ１４へ出力する。【００９６】
プリイコライザ１４は、ピックアップ１１及び光ディスク１００から構成される情報読取系の伝送特性に基づく符号間干渉を除去し、その結果得られる読取サンプル値系列ＲＳＣを２値化回路１６、遅延回路１８の夫々へ出力する。【００９７】
２値化回路１６は、読取サンプル値系列ＲＳＣに対して２値化処理を行い、その結果得られる２値化信号を復号回路１７及びパターン判別回路１９の夫々へ出力する。【００９８】
復号回路１７は、２値化信号に対して復号処理等を行い、その結果得られる再生信号を、ディスプレイやスピーカ等の外部再生機器へ出力する。その結果、光ディスク１００に記録されたデータパターンに応じたデータ（例えば、映像データや音声データ等）が再生される。【００９９】
遅延回路１８は、２値化回路１６及びパターン判別回路２０の夫々における処理に要する時間に相当する遅延を読取サンプル値系列ＲＳＣに付加した後に、該読取サンプル値系列ＲＳＣを平均化回路１９へ出力する。つまり、遅延回路１８の動作により、プリイコライザ１４から出力される読取サンプル値系列ＲＳＣ中の各サンプル値が、該サンプル値のデータパターン判別結果が入力されるタイミングと同一のタイミングで平均化回路１９へ入力される。【０１００】
平均化回路１９は、本発明における「測定手段」の一具体例を構成しており、読取サンプル値系列ＲＳＣのジッタを測定する。平均化回路１９の詳細については、後に詳述する（図９参照）。【０１０１】
パターン判別回路２０は、本発明における「検出手段」の一具体例を構成しており、２値化回路１６から出力される２値化信号に基づいて、データパターンの判別を行う。つまり、パターン判別回路２０に入力される２値化信号が、どのデータパターンの２値化信号であるかを判別する。判別結果は、平均化回路１９へ出力される。【０１０２】
記録ストラテジ調整回路２１は、本発明における「調整手段」の一具体例を構成しており、平均化回路１９において測定されたジッタに基づいて、データパターン毎の記録ストラテジを調整する。つまり、記録補償動作を行う。【０１０３】
ＣＰＵ２２は、本発明における「第１制御手段」、「第２制御手段」、「第３制御手段」、「第１算出手段」及び「第２算出手段」の一具体例を構成しており、記録装置１を構成する上述の各種構成要素を制御することにより、記録装置１の全体の動作を制御する。【０１０４】
（１−２）光ディスク
続いて、図２を参照して、第１実施例に係る記録装置１の記録動作の対象となる光ディスク１００の基本構成について説明する。ここに、図２は、光ディスク１００の基本構造を示した概略平面図であり、該光ディスク１００の半径方向における記録領域構造の図式的概念図である。【０１０５】
図２に示されるように、光ディスク１００は、例えば、ＤＶＤと同じく直径１２ｃｍ程度のディスク本体上の記録面に、センターホール１０１を中心として、本発明における「内周側エリア」の一具体例を構成する内周側ＰＣＡ（Power Calibration Area）１１１、ＲＭＡ（Recording Management Area）１１２、リードインエリア１１３、本発明における「ユーザデータエリア」の一具体例を構成するデータ記録エリア１１４、リードアウトエリア１１５及び外周側ＰＣＡ１１６が設けられている。そして、例えばセンターホール１０１を中心にスパイラル状或いは同心円状に、例えばグルーブトラック及びランドトラックが交互に設けられている。また、このトラック上には、データパターンがＥＣＣブロックという単位で分割されて記録される。ＥＣＣブロックは、エラー訂正可能なデータ管理単位である。また、本実施例においては、光ディスク１００は、一度のみデータパターンを記録することが可能な追記型記録媒体であることが好ましい。【０１０６】
そして、グルーブトラックは、一定の振幅及び空間周波数で揺動されている。即ち、グルーブトラックは、ウォブリングされており、そのウォブルの周期は所定値に設定されている。ランドトラック上にはプリフォーマットアドレスを示すランドプリピット（ＬＰＰ：Land Pre Pit）と呼ばれるピットが形成されている。この２つのアドレッシング（即ち、ウォブル及びランドプリピット）により記録中のディスク回転制御や記録クロックの生成を行うと共に、記録アドレス等のデータパターン記録に必要な情報を得ることができる。尚、グルーブトラックのウォブルを周波数変調や位相変調など所定の変調方式により変調することによりプリフォーマットアドレスを予め記録するようにしてもよい。【０１０７】
尚、第１実施例においては、光ディスク１００は、外周側に進むにつれて線速度が高速になるＺＣＬＶ（Zone Constant Linear Velocity）を採用していることが好ましい。但し、他の方式（例えば、ＣＬＶや、ＣＡＶ（Constant Angular Velocity）や、ＺＣＡＶ（Zone CAV）等）を採用してもよい。【０１０８】
また、図４及び図５を参照しながら後に詳述するが、第１実施例においては、光ディスク１００は、上述した各エリアのうちリードインエリア１１３がプリ記録されていてもよいし、或いはプリ記録されていなくともよい。【０１０９】
リードインエリア１１３がプリ記録されている場合には、リードインエリア１１３中のＣＤＺ（Control Data Zone）に、データ記録エリア１１４の最外周側の端部のアドレスであるＬＲＡ（Last Recorded Address）がプリ記録されていてもよい。つまり、データ記録エリア１１４の大きさが予め定められているように構成してもよい。また、ランドプリピットもＬＲＡを示すことができるが、この場合、ＣＤＺにプリ記録されているＬＲＡとランドプリピットが示すＬＲＡとは一致する。【０１１０】
他方で、リードインエリア１１３がプリ記録されていない場合には、データ記録エリア１１４の大きさは予め定められていないように構成してもよい。この場合、データ記録エリア１１４にデータパターンが記録された後、データ記録エリア１１４のうち記録されるべきデータに応じたデータパターンが記録されたエリア部分の最外周側の端部のアドレスが、ＬＲＡとしてＣＤＺ中に記録される。また、リードアウトエリア１１５は、データ記録エリア１１４のうちデータパターンが記録されたエリア部分の最外周側の端部から外周側に広がるように形成される。他方で、リードインエリア１１３がプリ記録されていない場合であっても、ランドプリピットは、予めデフォールトのデータ記録エリア１１４の最外周側の端部のアドレスであるＬＲＡを示している。この場合、ＣＤＺ中に記録されるＬＲＡとランドプリピットが示すＬＲＡとは一致しないことがある。【０１１１】
このように、リードインエリア１１３がプリ記録されているか否かに応じて、データ記録エリア１１４の最外周側の端部の位置が変動し得るが、第１実施例においては、リードインエリア１１３の最外周側の端部からランドプリピットが示すＬＲＡが示す位置までの間のエリア部分が、本発明における「ユーザデータエリア」の一具体例に相当するものとして説明を進める。言い換えれば、リードインエリア１１３の最外周側の端部からランドプリピットが示すＬＲＡが示す位置までの間のエリア部分が、データ記録エリア１１４に相当するものとして説明を進める。【０１１２】
もちろん、リードインエリア１１３がプリ記録されているか否かに関わらず、上述したエリア構成を有する光ディスク１００であれば、後述する動作を行うことで、後述する効果を得ることができることは言うまでもない。【０１１３】
（１−３）動作例
続いて、図３を参照して、第１実施例に係る記録装置１の動作例（特に、記録補償動作）について説明する。ここに、図３は、第１実施例に係る記録装置１の動作の流れを概念的に示すフローチャートである。【０１１４】
初めに、データ記録エリア１１４へのデータパターンの記録前に（或いは、ある線速度で初めて記録を行う前に）、ＣＰＵ２２の動作により、現在適用されている線速度が、記録補償動作を行うためのデータパターンの記録を内周側ＰＣＡ１１１において行うことが可能な線速度であるか否かが判定される（ステップＳ１０１）。【０１１５】
ステップＳ１０１における判定の結果、現在適用されている線速度が、記録補償動作を行うためのデータパターンの記録を内周側ＰＣＡ１１１において行うことが可能な線速度であると判定された場合には（ステップＳ１０１：Ｙｅｓ）、ＣＰＵ２２の動作により、内周側ＰＣＡ１１１が、記録補償動作を行うためのエリア部分（つまり、記録補償エリア）に設定される（ステップＳ１０２）。その後、内周側ＰＣＡ１１１又は外周側ＰＣＡ１１６においてＯＰＣが行われる（ステップＳ１０３）。その後、ステップＳ１０３におけるＯＰＣにより算出された最適パワーのレーザ光で、ステップＳ１０２において設定された記録補償エリアにデータパターンが記録されることにより、記録補償動作が行われる（ステップＳ１０９）。尚、記録補償動作については、図９を参照しながら、後に詳述する。【０１１６】
他方、ステップＳ１０１における判定の結果、現在適用されている線速度が、記録補償動作を行うためのデータパターンの記録を内周側ＰＣＡ１１１において行うことが可能な線速度でないと判定された場合には（ステップＳ１０１：Ｎｏ）、続いて、ＣＰＵ２２の動作により、記録予定のデータパターンを記録するために必要なエリア部分が算出される（ステップＳ１０４）。言い換えれば、記録予定のデータパターンのサイズが算出される。更に言い換えれば、データ記録エリア１１４のうちデータパターンが記録されることが予定されるエリア部分が識別される。【０１１７】
その後、ＣＰＵ２２の動作により、ステップＳ１０４における算出結果に基づいて、データパターンが記録されないエリア部分がデータ記録エリア１１４中に存在するか否かが判定される（ステップＳ１０５）。【０１１８】
ステップＳ１０５における判定の結果、データパターンが記録されないエリア部分がデータ記録エリア１１４中に存在すると判定された場合には（ステップＳ１０５：Ｙｅｓ）、ＣＰＵ２２の動作により、データ記録エリア１１４のうちデータパターンが記録される予定のないエリア部分が、記録補償動作を行うためのエリア部分に設定される（ステップＳ１０６）。つまり、データ記録エリア１１４のうちデータパターンが記録される予定であるエリア部分（つまり、記録予定エリア部分）の外周側の端部よりも外周側のエリア部分であって且つデータ記録エリア１１４中に存在するエリア部分が、記録補償動作を行うためのエリア部分に設定される。【０１１９】
他方、ステップＳ１０５における判定の結果、データパターンが記録されないエリア部分がデータ記録エリア１１４中に存在しないと判定された場合には（ステップＳ１０５：Ｎｏ）、ＣＰＵ２２の動作により、データ記録エリア１１４よりも外周側のエリア部分が、記録補償動作を行うためのエリア部分に設定される（ステップＳ１０６）。【０１２０】
ここで、図４及び図５を参照しながら、図３のステップＳ１０６及びステップＳ１０７における記録補償動作を行うためのエリア部分の設定動作についてより詳細に説明を進める。ここに、図４は、リードインエリア１１３がプリ記録されている光ディスク１００を対象とする、記録補償動作を行うためのエリア部分の設定の例を概念的に示すエリア構造図であり、図５は、リードインエリア１１３がプリ記録されていない光ディスク１００を対象とする、記録補償動作を行うためのエリア部分の設定の例を概念的に示すエリア構造図である。【０１２１】
図４（ａ）に示すように、リードインエリア１１３がプリ記録されている光ディスク１００においては、記録されるべきデータに応じたデータパターンが記録されないエリア部分がデータ記録エリア１１４中に存在する場合には、データ記録エリア１１４のうち記録されるべきデータに応じたデータパターンが記録される予定のないエリア部分が、記録補償動作を行うためのエリア部分に設定される。言い換えれば、記録されるべきデータに応じたデータパターンが記録されるエリア部分の外周側の端部よりも外周側のエリア部分であって且つＣＤＺにプリ記録されたＬＲＡが示すエリア部分よりも内周側のエリア部分（より具体的には、その一部）が、記録補償動作を行うためのエリア部分に設定される。【０１２２】
図４（ｂ）に示すように、リードインエリア１１３がプリ記録されている光ディスク１００においては、記録されるべきデータに応じたデータパターンが記録されないエリア部分がデータ記録エリア１１４中に存在しない場合には、データ記録エリア１１４よりも外周側のエリア部分が、記録補償動作を行うためのエリア部分に設定される。言い換えれば、ＣＤＺにプリ記録されたＬＲＡが示すエリア部分よりも外周側のエリア部分（より具体的には、その一部）が、記録補償動作を行うためのエリア部分に設定される。【０１２３】
図５（ａ）に示すように、リードインエリア１１３がプリ記録されていない光ディスク１００においては、記録されるべきデータに応じたデータパターンが記録されないエリア部分がデータ記録エリア１１４中に存在する場合には、データ記録エリア１１４のうち記録されるべきデータに応じたデータパターンが記録される予定のないエリア部分が、記録補償動作を行うためのエリア部分に設定される。言い換えれば、記録されるべきデータに応じたデータパターンが記録されるエリア部分の外周側の端部よりも外周側のエリア部分であって且つランドプリピットが示すＬＲＡ（つまり、ランドプリピットにアサインされたＬＲＡ）が示すエリア部分よりも内周側のエリア部分（より具体的には、その一部）が、記録補償動作を行うためのエリア部分に設定される。この場合、データ記録エリア１１４のうち記録されるべきデータに応じたデータパターンが記録される予定のないエリア部分は、本来であれば、リードアウトエリア属性を有するパディングデータパターン（例えば００ｈデータパターン）等でパディングされ、再生装置に対してはリードアウトエリア１１５として扱われる。第１実施例においては、データ記録エリア１１４のうち記録されるべきデータに応じたデータパターンが記録される予定のないエリア部分であって且つ記録補償動作に使用されないエリア部分のみが、リードアウトエリア属性を有するパディングデータパターンでパディングされる。【０１２４】
図５（ｂ）に示すように、リードインエリア１１３がプリ記録されていない光ディスク１００においては、記録されるべきデータに応じたデータパターンが記録されないエリア部分がデータ記録エリア１１４中に存在しない場合には、データ記録エリア１１４よりも外周側のエリア部分（より具体的には、その一部）が、記録補償動作を行うためのエリア部分に設定される。言い換えれば、ランドプリピットが示すＬＲＡが示すエリア部分よりも外周側のエリア部分が、記録補償動作を行うためのエリア部分に設定される。【０１２５】
尚、データ記録エリア１１４中に記録補償動作を行うためのエリア部分を設定する際には、記録されるべきデータに応じたデータパターンが記録されるエリア部分の外周側の端部との位置関係を考慮しながら、記録補償動作を行うためのエリア部分を設定することが好ましい。このような設定動作について、図６を参照しながらより詳細に説明する。ここに、図６は、記録補償動作を行うためのエリア部分の設定の他の例を概念的に示すエリア構造図である。【０１２６】
図６（ａ）に示すように、記録補償動作を行うためのエリア部分は、記録されるべきデータに応じたデータパターンが記録されるエリア部分の外周側の端部に相対的に近接するように設定されることが好ましい。言い換えれば、記録補償動作を行うためのエリア部分は、ＣＤＺにプリ記録された又はランドプリピットが示すＬＲＡが示すデータ記録エリア１１４の外周側の端部よりも、記録されるべきデータに応じたデータパターンが記録されるエリア部分の外周側の端部の方に近接するように設定されることが好ましい。【０１２７】
或いは、図６（ｂ）に示すように、記録補償動作を行うためのエリア部分は、記録されるべきデータに応じたデータパターンが記録されるエリア部分の外周側の端部に隣接するように設定されることが好ましい。【０１２８】
但し、図６（ｂ）に示すように、記録補償動作を行うためのエリア部分は、記録補償動作を行うためのエリア部分と記録されるべきデータに応じたデータパターンが記録されるエリア部分の外周側の端部との間に、所定の大きさ（例えば、１ＥＣＣブロックから数ＥＣＣブロック程度）の空きスペースが設けられるように設定されることが好ましい。【０１２９】
再び図３において、その後、記録補償動作を行うためのレーザ光ＬＢのパワーが算出される（ステップＳ１０８）。【０１３０】
ここで、図７を参照して、記録補償動作を行うためのレーザ光ＬＢのパワーの算出動作について説明する。ここに、図７は、記録補償動作を行うためのレーザ光ＬＢのパワーの算出動作の流れを概念的に示すフローチャートである。【０１３１】
図７に示すように、初めに、ＣＰＵ２２の制御の下に、内周側ＰＣＡ１１１においてＡＯＰＣ動作が行われる（ステップＳ３０１）。これにより、記録予定エリア部分に記録されるべきデータに応じたデータパターンを記録する際に用いられる最適パワーが算出される。【０１３２】
尚、ＡＯＰＣ動作は、光ディスク１００の記録面の特性の相違（例えば、内周側、中周側及び外周側の夫々の感度の相違）や線速度の相違等を考慮することにより、内周側ＰＣＡ１１１又は外周側ＰＣＡ１１６において実現不可能な線速度（例えば、記録速度が８ｘに相当する線速度）でのレーザ光ＬＢの最適パワーを、内周側ＰＣＡ１１１又は外周側ＰＣＡ１１６におけるＯＰＣ動作により算出する動作である。つまり、光ディスク１００の外周側に向かうほど線速度が増加する一方で、相対的に低速な線速度しか実現できない内周側ＰＣＡ１１１でＯＰＣが行われるという不都合を解消するための、特別なＯＰＣ動作である。このＡＯＰＣによれば、内周側ＰＣＡ１１１において行われるＯＰＣの結果に基づいて、光ディスク１００の全面に渡る記録特性を実質的に推測することができる。ここで、光ディスク１００の外周側に向かうほど線速度が増加することを考慮すれば、光ディスク１００の半径位置と線速度とを対応付けることにより、光ディスク１００上で実現可能な線速度に対応する記録特性を実質的に推測することができる。その結果、光ディスク１００の任意のエリア部分にデータパターンを記録する際に（言い換えれば、任意の線速度でデータパターンを記録する際に）用いられる最適パワーを推測することができる。詳細は、国際公開第ＷＯ２００５／０４３５１５号パンフレットを参照されたい。【０１３３】
但し、ＡＯＰＣに限らずとも、内周側ＰＣＡ１１１又は外周側ＰＣＡ１１６において実現不可能な線速度（例えば、記録速度が８ｘに相当する線速度）でのレーザ光ＬＢの最適パワーを、内周側ＰＣＡ１１１又は外周側ＰＣＡ１１６におけるＯＰＣ動作又はその他の演算により算出する動作であれば、ステップＳ１０８の動作として採用することができる。例えば、内周側ＰＣＡ１１１及び外周側ＰＣＡ１１６の夫々においてＯＰＣを行うと共に、これら２つのＰＣＡで行われたＯＰＣの結果から、これら２つのＰＣＡの間に位置するエリア部分にデータパターンを記録する際に用いられる最適パワーを、補間処理等により算出するように構成してもよい。【０１３４】
その後、ＣＰＵ２２の制御の下に、ステップＳ３０１におけるＡＯＰＣにより算出された最適パワーで、記録補償エリアにデータパターンが記録される（ステップＳ３０２）。その後、記録されたデータパターンは読み取られ、記録特性（例えば、ジッタやアシンメトリ等）が測定される。【０１３５】
その後、ＣＰＵ２２の制御の下に、記録予定エリア部分の記録感度と、記録補償エリアの記録感度との差異が算出される（ステップＳ３０３）。具体的には、ステップＳ３０１におけるＡＯＰＣの結果は、記録予定エリア部分の記録感度を直接的に又は間接的に示しており、ステップＳ３０２におけるデータパターンの記録の結果は、記録補償エリアの記録感度を直接的に又は間接的に示している。このため、ステップＳ３０１における結果と、ステップＳ３０２における結果とを比較することで、記録予定エリア部分の記録感度と、記録補償エリアの記録感度との差異を算出することができる。ここでは、記録予定エリア部分の記録感度と、記録補償エリアの記録感度との差異が直接的に算出されてもよい。或いは、記録予定エリア部分の記録感度と記録補償エリアの記録感度との差異が、記録予定エリア部分の記録特性と記録補償エリアの記録特性との差異により間接的に示されることを考慮して、記録予定エリア部分の記録特性と記録補償エリアの記録特性との差異を算出することで、記録予定エリア部分の記録感度と記録補償エリアの記録感度との差異が間接的に算出されてもよい。【０１３６】
その後、ＣＰＵ２２の制御の下に、記録予定エリア部分の記録感度と、記録補償エリアの記録感度との差異に基づいて、記録補償エリアで記録補償動作を行う際に用いられる記録補償動作を行うためのレーザ光ＬＢのパワーが算出される（ステップＳ３０４）。【０１３７】
ここで、図８を参照して、記録補償エリアで記録補償動作を行う際に用いられるレーザ光ＬＢのパワー（つまり、記録補償動作を行うためのレーザ光ＬＢのパワー）の算出動作についてより詳細に説明する。ここに、図８は、データ記録エリア１１４のうち記録されるべきデータに応じたデータパターンが記録される予定であるエリア部分（記録予定エリア部分）における記録特性と、記録補償動作が行われるエリア部分（記録補償エリア）における記録特性とを概念的に示すグラフである。尚、図８では、「中周」が記録予定エリア部分に相当し、「外周」が記録補償エリアに相当するものとして説明を進める。【０１３８】
図８（ａ）には、一般的な光ディスク１００の中周及び外周の夫々におけるジッタ対パワーの相関を示すグラフが示されている。図８（ａ）に示すように、中周と外周とでは、中周での記録感度と外周での記録感度との差異に起因して、最適パワー（言い換えれば、ジッタが最小となるパワー）が異なる。具体的には、中周での最適パワーが３０ｍＷである一方で、外周での最適パワーは３１．５ｍＷとなる。このため、ＡＯＰＣで求められた最適パワー（つまり、図８（ａ）における中周での最適パワー）で記録補償エリア（つまり、図８（ａ）における外周）において記録補償動作を行ったとしても、最適な記録条件（つまり、記録ストラテジ）が得られるとは限らないと考えられる。【０１３９】
ここで、一般的な光ディスク１００の中周及び外周の夫々におけるジッタ対アシンメトリの相関を示す図８（ｂ）のグラフによれば、中周において記録するか又は外周において記録するか否かに関わらず、中周及び外周の夫々においてアシンメトリを同一にすれば、（例えば、概ね０にすれば）、ジッタが向上することが分かる。第１実施例では、このような特徴を有効に利用して、補償用パワーを算出する。具体的には、中周（記録予定エリア部分）での最適パワーのアシンメトリと同一のアシンメトリを外周（記録補償エリア）において実現するパワーを、記録補償動作を行うためのパワーとして算出する。【０１４０】
具体的には、ステップＳ３０２の動作により記録されたデータパターンを読み取ることで、図８（ｃ）に示すように、外周（記録補償エリア）におけるパワー対アシンメトリの相関が得られる。ここで、中周での最適パワー（ＡＯＰＣにより得られた最適パワー）が、アシンメトリが０となる３０ｍＷであるとする。この場合、同じパワーでは、外周（記録補償エリア）においてアシンメトリが−０．０５に変化する。このため、内周（記録予定エリア部分）の記録感度と外周（記録補償エリア）の記録感度の差異（例えば、アシンメトリの差異）に応じて、中周（記録予定エリア部分）での最適パワーのアシンメトリと同一のアシンメトリ０を外周（記録補償エリア）において実現するパワーである３１．４ｍＷを、記録補償動作を行うためのパワーに設定する。【０１４１】
再び図３において、その後、記録補償動作が行われる（ステップＳ１０９）。より具体的には、ステップＳ１０１においてＹｅｓと判定された場合には、ステップＳ１０３のＯＰＣにより算出されたパワーのレーザ光ＬＢを用いて、ステップＳ１０２において設定された記録補償エリアにおいて記録補償動作が行われる。一方、ステップＳ１０１においてＮｏと判定され且つステップＳ１０５においてＹｅｓと判定された場合には、ステップＳ１０８により算出されたパワーのレーザ光ＬＢで、ステップＳ１０６において設定された記録補償エリアにおいて記録補償動作が行われる。他方、ステップＳ１０１においてＮｏと判定され且つステップＳ１０５においてＮｏと判定された場合には、ステップＳ１０８により算出されたパワーのレーザ光ＬＢで、ステップＳ１０７において設定された記録補償エリアにおいて記録補償動作が行われる。【０１４２】
記録補償動作の後、ＣＰＵ２２の制御の下に、設定された線速度にて記録が開始される（ステップＳ１１０）。つまり、ステップＳ１０３又は図７のステップＳ３０１において算出された最適パワーで且つステップＳ１０９において設定された最適記録条件（最適ストラテジ）のレーザ光ＬＢを照射することで、データパターンの記録が開始される。その後、ＣＰＵ２２の動作により、記録動作を終了するか否かが判定される（ステップＳ１１１）。【０１４３】
ステップＳ１１１における判定の結果、記録動作を終了すると判定された場合には（ステップＳ１１１：Ｙｅｓ）、記録動作を終了する。【０１４４】
他方、ステップＳ１１１における判定の結果、記録動作を終了しないと判定された場合には（ステップＳ１１１：Ｎｏ）、続いて、ＣＰＵ２２の動作により、線速度が変更されるか否かが判定される（ステップＳ１１２）。【０１４５】
ステップＳ１１２における判定の結果、線速度が変更されると判定された場合には（ステップＳ１１２：Ｙｅｓ）、ステップＳ１０１へ戻り、ステップＳ１０１以降の動作が繰り返される。【０１４６】
他方、ステップＳ１１２における判定の結果、線速度が変更されないと判定された場合には（ステップＳ１１２：Ｎｏ）、ステップＳ１１１へ戻り、記録動作が継続される。【０１４７】
続いて、図９を参照して、図３のステップＳ１０９における記録補償動作についてより詳細に説明を進める。ここに、図９は、図３のステップＳ１０９における記録補償動作の流れを概念的に示すフローチャートである。【０１４８】
図９に示すように、初めに、ＣＰＵ２２の制御の下に、図３のステップＳ１０２、ステップＳ１０６又はステップＳ１０７において設定された記録補償動作を行うためのエリア部分に、データパターンが記録される（ステップＳ２０１）。ここで記録されるデータパターンは、記録補償動作を行うためのデータパターンであるが、ＯＰＣパターンのような特別なデータパターンではなく、データ記録エリア１１４に記録される通常のデータパターンと同様のデータパターンである。その後、平均化回路１９の動作により、ジッタが測定される（ステップＳ２０２）。【０１４９】
ここで、図１０及び図１１を参照して、ジッタを測定する際の動作及びジッタを測定するための平均化回路１９について説明する。ここに、図１０は、平均化回路１９によるジッタの測定動作を読取サンプル値系列ＲＳＣ上で概念的に示す波形図であり、図１１は、平均化回路１９の基本構成を概念的に示すブロック図である。【０１５０】
図１０に示すように、第１実施例においては、平均値回路１９は、ジッタを測定するために、まず、データパターン毎に、読取サンプル値系列ＲＳＣのゼロクロス点付近のサンプル値（図１０中、黒丸にて示すサンプル値であって、以降適宜“ゼロクロスサンプル値”と称する）と、ゼロレベルとの間の差分（つまり、振幅方向のエッジシフト）を測定する。読取信号ＲＲＦに符号間干渉がなければ、クロックＣＬＫのタイミングでゼロレベルと概ね一致するサンプル値がゼロクロスサンプル値となるが、読取信号ＲＲＦに符合間干渉があれば、クロックＣＬＫのタイミングでゼロレベルに最も近づくサンプル値がゼロクロスサンプル値となる。【０１５１】
このような動作を行うために、平均値回路１９は、図１１に示すように、トリガ生成部１９１１と、トータルジッタ測定ブロック１９１と、ｎ個の個別シフトジッタ成分測定ブロック１９２−１〜１９２−ｎと、全体シフトジッタ成分測定回路１９３とを備えている。個別シフトジッタ成分測定ブロック１９２−１〜１９２−ｎの数は、データパターンの種類の組み合わせ数と一致している。つまり、光ディスク１００がＤＶＤであれば、データランレングス長は１０種類（３Tから１１T、１４T）ある。各マーク長に対し、前後のスペース長の組み合わせパターンで個別シフトジッタを分類することができる。例えば、前スペース長と各マーク長の組み合わせは、１００通り、後スペース長と各マーク長の組み合わせも、１００通りあり、全部でｎ＝２００通りになる。有効瞳径とデータランレングスを鑑み、６T以上のマーク／スペースとの組み合わせパターンでは同一の符号間干渉が発生する為、６Ｔ以上のデータを同一グループとして扱うと、ｎ＝３２に減らすことができる。光ディスク１００がＢｌｕ−ｒａｙ  Ｄｉｓｃであれば、データランレングス長は８種類（２Tから９T）あり、各マーク長に対する前後スペース長の組み合わせパターンｎ＝８＊８＊２＝１２８通りになる。ＤＶＤ同様、有効瞳径とデータランレングスを鑑み、５T以上のデータを同一グループとして扱うと、ｎ＝３２に減らすことができる。そして、個別シフトジッタ成分測定ブロック１９２−１〜１９２−ｎは、夫々が対応するデータパターンの個別シフトジッタ成分を測定する。【０１５２】
遅延回路１８より出力される読取サンプル値系列ＲＳＣは、ＡＢＳ回路１９１２、並びにｎ個の加算器１９２３−１〜１９２３−ｎに入力される。また、パターン判別回路２０より出力されるパターン判別結果は、トリガ生成部１９１１に入力される。【０１５３】
トリガ生成部１９１１においては、パターン判別回路２０より出力されるパターン判別結果に応じて、データパターン毎に区別されると共にデータパターンが入力されるタイミングでハイレベル（又はローレベル）になるトリガ信号を生成する。トリガ信号は、ＯＲ回路１９１７、ｎ個のサンプルホールド（Ｓ／Ｈ）回路１９２４−１〜１９１２４−ｎ、及びｎ個のカウンタ１９２５−１〜１９２５−ｎに入力される。【０１５４】
続いて、トータルジッタ測定ブロック１９１の動作について説明する。ＡＢＳ回路１９１２より出力されるゼロクロスサンプル値の絶対値は、加算器１９１２において加算される。加算結果は、サンプルホールド回路１９１４において、いずれかのトリガ信号がハイレベル（又はローレベル）となるタイミングで（つまり、いずれかのデータパターンがトータルジッタ測定ブロック１９１に入力されるタイミングで）サンプルホールドされる。その結果は、割算器１９１６へ出力されると共に、加算器１９１３へフィードバックされる。このため、割算器１９１６へは、全データパターンのゼロクロスサンプル値の絶対値の和が出力される。他方、カウンタ１９１５において、トリガ信号がハイレベル（又はローレベル）となった回数（つまり、トータルジッタ測定ブロック１９１に入力されたデータパターンの数）がカウントされている。カウント結果は、割算器１９１６へ出力される。割算器１９１６においては、ゼロクロスサンプル値の絶対値の和が、入力されたデータパターンの数で除算される。その結果、ゼロクロスサンプル値の絶対値の平均値が出力される。本実施例においては、ゼロクロスサンプル値の絶対値の平均値が、トータルジッタ（つまり、ランダムジッタ成分とシフトジッタ成分とを考慮した全体としてのジッタ）となる。【０１５５】
続いて、個別シフトジッタ成分測定ブロック１９２−１〜１９２−ｎの動作について説明する。ここでは、光ディスク１００がＤＶＤであり、ランレングスが３Ｔスペースの後の３Ｔマークのデータパターンのゼロクロスサンプル値に対応する個別シフトジッタ成分測定ブロック１９２−１の動作について説明する。加算器１９２３−１とサンプルホールド回路１９２４−１の作用により、ランレングスが３Ｔスペースの後の３Ｔマークのデータパターンに対応するトリガ信号がハイレベル（又はローレベル）となるタイミングで（つまり、３Ｔスペース後の３Ｔマークの境界ゼロクロスサンプルが個別シフトジッタ成分測定ブロック１９２−１に入力されるタイミングで）、３Ｔスペース後の３Ｔマークの境界ゼロクロスサンプルがサンプルホールドされる。その結果は、割算器１９２６−１へ出力されると共に、加算器１９２３−１へフィードバックされる。つまり、加算器１９２３−１においては、３Ｔスペース後の３Ｔマークの境界ゼロクロスサンプル値のみが積算され、割算器１９２６−１へは、３Ｔスペース後の３Ｔマークの境界ゼロクロスサンプル値の和が出力される。他方、カウンタ１９２５−１において、トリガ信号がハイレベル（又はローレベル）となった回数（つまり、個別シフトジッタ成分測定ブロック１９２−１に入力された３Ｔスペース後の３Ｔマークの境界ゼロクロスサンプルの数）Ｎ（１）がカウントされている。カウント結果は、割算器１９２６−１へ出力される。割算器１９２６−１においては、３Ｔスペース後の３Ｔマークの境界ゼロクロスサンプル値の和が、入力されたＮ（１）で除算される。その結果、３Ｔスペース後の３Ｔマークの境界ゼロクロスサンプル値の平均値Ｓ（１）が出力される。この動作は、他の個別シフトジッタ成分測定ブロック１９２−２〜１９２−ｎにおいても、対応するデータパターン毎に行われる。本実施例においては、データパターン毎のゼロクロスサンプル値の平均値が、個別シフトジッタ成分Ｓ（１）〜Ｓ（ｎ）となる。【０１５６】
データパターン毎の個別シフトジッタ成分Ｓ（１）〜Ｓ（ｎ）は、全体シフトジッタ成分測定回路１９３へも出力される。また、トリガ信号がハイレベルとなった回数Ｎ（１）〜Ｎ（ｎ）もまた、全体シフトジッタ成分測定回路１９３へ出力される。全体シフトジッタ成分測定回路１９３においては、数式１に示す演算処理を行うことで、データパターン毎の個別シフトジッタ成分の出現確率を考慮した、全体としてのシフトジッタ成分が出力される。【０１５７】
【数１】
2009016754.tif 000003
【０１５８】
再び図９において、続いて、ＣＰＵ２２の制御の下に、ステップＳ２０２において測定されたジッタのうちの個別シフトジッタ成分が、第１閾値よりも小さいか否かが判定される（ステップＳ２０３）。この判定は、データパターン毎に行われる。つまり、この判定は、個別シフトジッタ成分測定ブロック１９２−１〜１９２−ｎにおいて測定された個別シフトジッタ成分の夫々について行われる。具体的には、光ディスク１００がＤＶＤであり、６Ｔ以上を同一グループとして扱うと、３Ｔマークについては、前スペースのランレングスが３Ｔのデータパターンにおける判定と、前スペースのランレングスが４Ｔのデータパターンにおける判定と、前スペースのランレングスが５Ｔのデータパターンにおける判定と、前スペースのランレングスが６Ｔ以上のデータパターンにおける判定とが行われる。同様に、４Ｔ以上のマークについても、前スペースが３Ｔ、４Ｔ、５Ｔ、６Ｔ以上のデータパターンにおける判定が行われる。３Ｔ、４Ｔ、５Ｔ、６Ｔ以上のマークに対して、後スペースのランレングスが３Ｔ、４Ｔ、５Ｔ、６Ｔ以上のデータパターンにおける判定が行われる。６Ｔ以上を統一グループとして扱ったが、タンジェンシャルチルトによるコマ収差等の影響まで記録補償するのであれば、その影響のでるデータパターンまで扱っても良いし、３Ｔから１１Ｔ、１４Ｔを個別に扱っても良い。他方、光ディスク１００がＢｌｕ−ｒａｙ  Ｄｉｓｃであり、５Ｔ以上を同一グループとして扱うと、２Ｔ、３Ｔ、４Ｔ、５Ｔ以上のマークについては、前スペースまたは後スペースが２Ｔ、３Ｔ、４Ｔ、５Ｔ以上のデータパターンにおける判定が行われる。５Ｔ以上を統一グループとして扱ったが、ＤＶＤ同様、タンジェンシャルチルトによるコマ収差等の影響まで記録補償するのであれば、その影響のでるデータパターンまで扱っても良いし、２Ｔから９Ｔを個別に扱っても良い。【０１５９】
尚、第１閾値は、全てのデータパターンに共通の値を用いてもよいし、データパターン毎に（或いは、複数のデータパターンを含むグループ毎に）個別の値を用いてもよい。また、具体的な第１閾値の値は、例えば、ジッタに占めるランダムジッタ成分の比率が所定値（例えば、後述するように概ね８０％）以上となる状態を実現できるように設定されることが好ましい。尚、トータルジッタに対するランダムジッタ成分の比率が概ね８０％以上となるように記録補償動作を行ってもよいが、トータルジッタをより多く低減するためには、トータルジッタに対するランダムジッタ成分の比率が概ね９０％以上となるように記録補償動作を行ってもよい。【０１６０】
ステップＳ２０３における判定の結果、少なくとも１つの又は全てのデータパターンのシフトジッタ成分が第１閾値よりも小さいと判定された場合には（ステップＳ２０３：Ｙｅｓ）、動作を終了する。【０１６１】
他方、ステップＳ２０３における判定の結果、少なくとも１つの又は全てのデータパターンのシフトジッタ成分が第１閾値よりも小さくないと判定された場合には（ステップＳ２０３：Ｎｏ）、記録補償動作であるストラテジの調整動作が行われる（ステップＳ２０４）。【０１６２】
ここでは、第１閾値よりも小さくないと判定されたシフトジッタ成分に対応するデータパターンに対して記録補償を行ってもよいし、第１閾値よりも小さくないと判定されたシフトジッタ成分に対応するデータパターンに加えて、第１閾値よりも小さいと判定されたシフトジッタ成分に対応するデータパターンに対しても記録補償を行ってもよい。【０１６３】
ここで、図１２を参照して、図９のステップＳ２０４における記録補償動作について説明する。ここに、図１２は、記録補償前のデータパターン毎のジッタ分布及び全体としてのジッタ分布、並びに記録補償後のデータパターン毎のジッタ分布及び全体としてのジッタ分布の夫々の状態を概念的に示すグラフである。データパターン毎の分布の平均値が個別シフトジッタ成分となる。【０１６４】
図１２に示すように、第１実施例においては、データパターン毎の個別シフトジッタ成分のばらつきをなくすような記録補償動作が行われる。より具体的には、図１２の左側に示すように、データパターン毎のジッタの分布が、縦方向の矢印にて示すクロックの立ち上がり点を基準としてばらつきを有している場合には、図１２の右側に示すように、データパターン毎のジッタの分布がクロックの立ち上がり点に向かってシフトするように、記録補償動作が行われる。言い換えれば、データパターン毎のジッタの分布が、クロックの立ち上がり点において又はその近傍付近において揃うように、記録補償動作が行われる。更に言い換えれば、データパターン毎のジッタの分布が同一となるように、記録補償動作が行われる。その結果、全体としてのジッタの分布（つまり、トータルジッタの分布）は、クロックの立ち上がり位置等を中心として正規分布となる。つまり、本実施例における記録補償動作においては、データパターン毎のジッタの分布の幅を狭くすることに代えて（言い換えれば、ランダムジッタ成分を低減することに代えて）、データパターン毎のジッタの分布の平均値をそろえている。これは、データパターン毎の個別シフトジッタ成分を低減させる動作に相当する。【０１６５】
データパターン毎の個別シフトジッタ成分を低減するために、記録ストラテジ調整回路２１は、例えば図１３から図１５に示すように記録ストラテジを調整する。ここに、図１３は、記録ストラテジの調整動作の第１の態様を概念的に示すタイミングチャートであり、図１４は、記録ストラテジの調整動作の第２の態様を概念的に示すタイミングチャートであり、図１５は、記録ストラテジの調整動作の第３の態様を概念的に示すタイミングチャートである。【０１６６】
例えば、図１３に示すように、データパターン（記録データ）を記録するためのレーザ光の波形を規定する記録パルス（つまり、記録ストラテジ）のパルス幅を調整するように構成してもよい。【０１６７】
また、図１４に示すように、データパターン（記録データ）を記録するためのレーザ光の波形を規定する記録パルス（つまり、記録ストラテジ）の振幅（例えば、トップパルスの振幅Ｐｏや、ミドルパルスの振幅Ｐｍや、バイアスパワーの振幅Ｐｂ）を調整するように構成してもよい。ここでは、図１４の一番上の記録パルスにて示すように、ランレングスが３Ｔ及び４Ｔのデータパターンに対応する記録パルスの振幅と、ランレングスが５Ｔ以上のデータパターンに対応する記録パルスの振幅とを別々に調整してもよい。或いは、図１４の上から２番目の記録パルスにて示すように、ランレングスが３Ｔのデータパターンに対応する記録パルスの振幅と、ランレングスが４Ｔのデータパターンに対応する記録パルスの振幅と、ランレングスが５Ｔのデータパターンに対応する記録パルスの振幅と、ランレングスが６Ｔ以上のデータパターンに対応する記録パルスの振幅とを別々に調整してもよい。或いは、図１４の上から３番目の記録パルスにて示すように、ランレングスが３Ｔのデータパターンに対応する記録パルスの振幅と、ランレングスが４Ｔのデータパターンに対応する記録パルスの振幅と、ランレングスが５Ｔ以上のデータパターンに対応する記録パルスの振幅とを別々に調整してもよい。或いは、図１４の上から４番目の記録パルスにて示すように、ランレングスが３Ｔのデータパターンに対応する記録パルスの振幅と、ランレングスが４Ｔ以上のデータパターンに対応する記録パルスの振幅とを別々に調整してもよい。【０１６８】
また、図１５に示すように、記録パルスがキャッスル型以外であっても、図１４に示す場合と同様に、データパターン（記録データ）を記録するためのレーザ光の波形を規定する記録パルス（つまり、記録ストラテジ）の振幅を調整するように構成してもよい。【０１６９】
もちろん、図１３に示すような記録パルスのパルス幅の調整と、図１４及び図１５に示すような記録パルスの振幅の調整とを適宜組み合わせることで、記録ストラテジの調整を行ってもよいことは言うまでもない。【０１７０】
以上説明したように、本実施例に係る記録装置１によれば、記録補償動作を行うことで、トータルジッタを低減することができる。ここで、図１６を参照して、トータルジッタの低減効果について説明する。ここに、図１６は、記録補償動作を行うことなく記録されたデータパターンのトータルジッタ及び第１実施例に係る態様で記録補償動作を行った後に記録されたデータパターンのトータルジッタを概念的に示すグラフである。【０１７１】
図１６に示すように、記録補償動作を行わない記録装置では、トータルジッタのばらつきが大きい。他方で、記録補償動作を行う記録装置では、記録補償動作を行わない記録装置と比較して、トータルジッタが低減されると共に、トータルジッタのばらつきが小さくなるないしは殆どなくなる。【０１７２】
特に、第１実施例においては、記録補償動作を行う前に（言い換えれば、記録条件を調整するためのデータパターンを記録する前に）、記録予定エリア部分の記録感度と記録補償動作エリアの記録感度との差異を考慮して、記録補償動作を行うためのパワーが算出される。【０１７３】
ここで、図１７及び図１８を参照して、記録感度の差異を考慮して記録補償動作を行うためのパワーを算出した後に記録補償動作を行った場合の記録特性と、記録感度の差異を考慮することなくＯＰＣで算出された最適パワーを算出した後に記録補償動作を行った場合の記録特性とについて説明する。ここに、図１７は、記録感度の差異を考慮することなくＯＰＣで算出された最適パワーを算出した後に記録補償動作を行った場合の記録特性を概念的に示すグラフであり、図１８は、記録感度の差異を考慮して記録補償動作を行うためのパワーを算出した後に記録補償動作を行った場合の記録特性を概念的に示すグラフである。【０１７４】
図１７のグラフにおいて、「記録補償なし」で示されるグラフは、記録補償を行うことなく中周（記録予定エリア部分）にデータパターンを記録した場合の記録特性を示している。「記録補償あり」で示されるグラフは、中周（記録予定エリア）において記録補償を行った後に中周（記録予定エリア部分）にデータパターンを記録した場合の記録特性を示している。「記録補償あり（外周）」で示されるグラフは、記録感度の差異を考慮することなく外周（記録補償エリア）で記録補償を行った後に中周（記録予定エリア部分）にデータパターンを記録した場合の記録特性を示している。図１７に示すように、記録感度の差異を考慮することなく外周（記録補償エリア）で記録補償を行った後に中周（記録予定エリア部分）にデータパターンを記録した場合には、中周（記録予定エリア部分）で最適なパワー（つまり、３０ｍＷのパワー）により得られる記録特性（ジッタ）は悪化している。【０１７５】
図１８のグラフにおいて、「記録補償なし」で示されるグラフは、記録補償を行うことなく中周（記録予定エリア部分）にデータパターンを記録した場合の記録特性を示している。「記録補償あり」で示されるグラフは、中周（記録予定エリア）において記録補償を行った後に中周（記録予定エリア部分）にデータパターンを記録した場合の記録特性を示している。「記録補償あり（外周）」で示されるグラフは、記録感度の差異を考慮して外周（記録補償エリア）で記録補償を行った後に中周（記録予定エリア部分）にデータパターンを記録した場合の記録特性を示している。図１８に示すように、記録感度の差異を考慮して外周（記録補償エリア）で記録補償を行った後に中周（記録予定エリア部分）にデータパターンを記録した場合には、中周（記録予定エリア部分）で最適なパワー（つまり、３０ｍＷのパワー）により得られる記録特性（ジッタ）は悪化していないことが分かる。【０１７６】
まとめると、記録感度の差異を考慮することなく、記録予定エリア部分での最適パワーを用いて、記録予定エリア部分よりも外周側の記録補償エリアで記録補償動作を行うとすると、記録予定エリア部分での最適パワーが、記録補償エリアにおいても最適であるとは限らない。このため、記録補償エリアにおいて最適でないパワーで記録補償動作が行われることになりかねない。これは、記録条件の好適な調整を行うという目的から見れば好ましくない。しかるに、第１実施例では、記録感度の差異を考慮して、記録補償動作を行うためのレーザ光ＬＢのパワーが算出されるため、記録補償エリアにおいて最適なパワーで記録補償動作が行われる。その一方で、実際に記録予定エリア部分にデータパターンを記録する際には、記録予定エリアにおける最適パワーが用いられるため、記録予定エリア部分にデータパターンを好適に記録することができる。つまり、データパターンの記録品質を悪化させることなく、データパターンを記録することができる。【０１７７】
加えて、第１実施例においては、最内周側ＰＣＡ１１１又は最外周側ＰＣＡ１１６と比較して、実際にデータパターンが記録されるデータ記録エリア１１４のエリア部分により近いエリア部分で記録補償動作を行うことができる。このため、記録補償動作が行われるエリア部分の特性と実際にデータパターンが記録されるエリア部分との特性とが大きくかけ離れることはなくなる。これにより、最内周側ＰＣＡ１１１又は最外周側ＰＣＡ１１６において記録補償動作を行う場合と比較して、記録補償動作により最適化されたストラテジが、実際にデータパターンが記録されるデータ記録エリア１１４においても好適である又は最適である可能性が高くなる。つまり、より好適な態様で記録補償動作を行うことにより、より好適にストラテジを最適化することができる。従って、記録補償動作により最適化されたストラテジを用いて、データ記録エリア１１４にデータパターンを好適に記録することができる。【０１７８】
ここで、光ディスク１００の記録面上の特性変化がジッタ等に与える影響について、図１９から図２１を参照して説明する。ここに、図１９は、ジッタ及びアシンメトリと、光ディスク１００の半径位置とを対応付けたグラフであり、図２０は、感度変化の有無とジッタ及びアシンメトリとの関係を概念的に示すグラフであり、図２１は、記録補償動作を行わない記録装置により記録されたデータパターンのトータルジッタ及びアシンメトリ並びに外周側ＰＣＡ１１６で記録補償動作を行った記録装置１により記録されたデータパターンのトータルジッタ及びアシンメトリを、光ディスク１００の半径位置と関連付けて概念的に示す波形図である。【０１７９】
図１９に示すように、光ディスク１００の外周側ＰＣＡ１１６付近では、それ以外のエリア部分と比較して、記録特性が大きく変化している。これは、記録膜の厚さの変化に起因した記録感度の変化によるものであると考えられる。【０１８０】
ここで、光ディスク１００の中周部分（言い換えれば、データ記録エリア１１４の中央付近）の感度を基準として、光ディスク上のエリア部分の記録感度をパーセンテージ（％）により示すとする。ここで、図２０（ａ）は、あるエリア部分において記録補償動作を行った後に、同じエリア部分（言い換えれば、記録補償動作が行われたエリア部分）又はその付近にデータパターンを記録した際の、ジッタ及びアシンメトリの変化を示すグラフである。感度変化量が０％のエリア部分が光ディスク１００の中周部分に相当し、感度変化量が−１０％のエリア部分が概ね外周側ＰＣＡ１１６に相当している。つまり、図２０（ａ）の横軸の感度変化量は、光ディスク１００の中周部分を基準とした場合の、記録補償動作を行ったエリア部分の記録感度（或いは、実際にデータパターンが記録されるエリア部分の記録感度）の変化量を示している。図２０（ａ）に示すように、光ディスク１００の記録面上で感度変化が発生していたとしても、記録補償動作を行ったエリア部分と同じ又は近接するエリア部分にデータパターンを記録する際には、ジッタが大きく変動することはない。具体的には、外周側ＰＣＡ１１６に相当する感度変化量が−１０％のエリア部分で記録補償動作を行ったとしても、そこで調整されたストラテジを用いて外周側ＰＣＡ１１６にデータパターンを記録する限りは、ジッタは、概ね６．５％程度を維持している。【０１８１】
しかるに、記録補償動作を行ったエリア部分と異なる又は離れたエリア部分にデータパターンを記録する際には、ジッタが大きく変動しかねない。ここで、図２０（ｂ）は、あるエリア部分において、記録感度変化が生じた状態で記録補償動作を行った後に、感度変化量が０％の光ディスク１００の中周部分にデータパターンを記録した際の、ジッタ及びアシンメトリの変化を示すグラフである。つまり、図２０（ｂ）の横軸の感度変化量は、実際にデータパターンが記録されるエリア部分の記録感度を基準とした場合の、録補償動作を行ったエリア部分の記録感度の変化量を示している。図２０（ｂ）に示すように、内周側ＰＣＡ１１１において記録補償動作を行うことができないために外周側ＰＣＡ１１６において記録補償動作を行うとすれば、外周側ＰＣＡ１１６とは記録感度が１０％程度異なるデータ記録エリア１１４の殆どのエリア部分において好適な記録を行うことができなくなってしまう。具体的には、外周側ＰＣＡ１１６で記録補償動作を行った後に、そこで調整されたストラテジを用いて感度変化量が０％のエリア部分に相当するデータ記録エリア１１４にデータパターンを記録するとすれば、ジッタは、概ね１１％を超えるまでに悪化してしまう。【０１８２】
このように、外周側ＰＣＡ１１６で記録補償動作を行った後に、そこで調整されたストラテジを用いてデータ記録エリア１１６にデータパターンを記録すると、ジッタが悪化してしまうという事実は、図２１に示すグラフからも明らかである。【０１８３】
しかるに、本実施例では、内周側ＰＣＡ１１１において記録補償動作を行うことができない場合には、データ記録エリア１１４中で記録補償動作が行われる。従って、最内周側ＰＣＡ１１１又は最外周側ＰＣＡ１１６において記録補償動作を行う場合と比較して、記録補償動作により最適化されたストラテジが、実際にデータパターンが記録されるデータ記録エリア１１４においても好適である又は最適である可能性が高くなる。このため、光ディスク１００の記録面上で感度変化が発生していたとしても、好適にストラテジを調整し且つ好適な記録動作を担保することができる。【０１８４】
尚、第１実施例では、上述した記録感度を考慮して記録補償動作を行うためのパワーを算出しているため、記録予定エリア部分と記録補償エリアとが離れた位置に存在していたとしても、特段の問題は生じないと考えられる。しかしながら、記録予定エリア部分の特性と記録補償エリアとの特性が近ければ近いほど好ましいという事実を考慮すれば、記録予定エリア部分と記録補償エリアとがより近接する関係にある方が好ましい。この点において、第実施例では、より一層好適な記録補償動作を行うことができるという大きな効果を享受することができる。【０１８５】
また、上述した背景技術では、データ記録エリア１１４のうちデータパターンが記録される予定のないエリア部分に、ＯＰＣ用の特別なデータパターンが記録される。このため、特別なデータパターンが記録されるエリア部分と、データパターンが記録されるエリア部分とを近づけることは、該特別なデータパターンを再生装置が誤って読み取ってしまった場合に動作の暴走を招きかねないことを考慮すると、好ましくない。一方で、第１実施例によれば、記録補償動作を行うためには、データ記録エリア１１４のうち記録されるべきデータに応じたデータパターンが記録される予定のないエリア部分に、通常のデータパターンが記録される。このため、通常のデータパターンが記録されるエリア部分を記録されるべきデータに応じたデータパターンが記録されるエリア部分に近づけることにより再生装置が該データパターンを読み取ってしまったとしても、動作の暴走を招くことはない。この点においても、第１実施例によれば、背景技術と比較して、十分に優れた効果を享受することができる。【０１８６】
（２）第２実施例
続いて、図２２を参照して、本発明の記録装置に係る第２実施例について説明する。ここに、図２２は、第２実施例に係る記録装置２の基本構成を概念的に示すブロック図である。尚、上述した第１実施例に係る情報記録再生装置１と同一の構成については、同一の参照符号を付して、その詳細な説明については省略する。【０１８７】
図２２に示すように、第２実施例に係る記録装置２は、第１実施例に係る記録装置１と同様に、スピンドルモータ１０と、ピックアップ１１と、ＨＰＦ１２と、Ａ／Ｄ変換器１３と、プリイコライザ１４と、２値化回路１６と、復号回路１７と、遅延回路１８と、平均化回路１９と、パターン判別回路２０と、記録ストラテジ設定回路２１と、ＣＰＵ２２とを備えている。【０１８８】
第２実施例に係る記録装置２は特に、プリイコライザ１４と遅延回路１８及び２値化回路１６との間にリミットイコライザ１５を備えている。リミットイコライザ１５は、本発明における「振幅制限フィルタリング手段」の一具体例を構成しており、符号間干渉を増加させることなく読取サンプル値系列ＲＳＣに対して高域強調処理を施し、その結果得られる高域強調読取サンプル値系列ＲＳＨを、２値化回路１６及び遅延回路１８の夫々へ出力する。尚、リミットイコライザ１５の動作自体は、従来のリミットイコライザの動作と同一である。その詳細については、特許第３４５９５６３号等を参照されたい。【０１８９】
その結果、リミットイコライザ１５の後段に位置する２値化回路１６と、復号回路１７と、遅延回路１８と、平均化回路１９と、パターン判別回路２０と、記録ストラテジ調整回路２１と、ＣＰＵ２２とは、読取サンプル値系列ＲＳＣに代えて、高域強調読取サンプル値系列ＲＳＨを用いて動作を行う。【０１９０】
このように、第２実施例によれば、リミットイコライザ１５の出力（つまり、高域強調読取サンプル値系列ＲＳＨ）を用いてパターン判別すると共に、記録補償動作を行っている。つまり、最短データパターンの振幅レベルが強調された状態でパターン判別すると共に、記録補償動作を行っている。仮に読取信号のアシンメトリがどのような状態であったとしても、読取信号中に含まれる最短データパターンがゼロレベルと交差なくなる状態を好適に防ぐことができる。その結果、最短データパターンの検出を好適に行うことができる。これにより、最短データパターンを含む読取信号を参照しながら、記録補償動作を好適に行うことができる。つまり、記録補償前の読取信号におけるアシンメトリの状態に関わらず、記録補償動作を好適に行うことができる。【０１９１】
（３）第３実施例
続いて、図２３を参照して、本発明の記録装置に係る第３実施例について説明する。ここに、図２３は、第３実施例に係る記録装置３の基本構成を概念的に示すブロック図である。尚、上述した第１実施例に係る情報記録再生装置１及び第２実施例に係る記録装置２と同一の構成については、同一の参照符号を付して、その詳細な説明については省略する。【０１９２】
図２３に示すように、第３実施例に係る記録装置３は、第２実施例に係る記録装置２と同様に、スピンドルモータ１０と、ピックアップ１１と、ＨＰＦ１２と、Ａ／Ｄ変換器１３と、プリイコライザ１４と、リミットイコライザ１５と、２値化回路１６と、復号回路１７と、遅延回路１８と、平均化回路１９と、パターン判別回路２０と、記録ストラテジ設定回路２１と、ＣＰＵ２２とを備えている。【０１９３】
第３実施例に係る記録装置３は特に、夫々が本発明における「付加手段」の一具体例を構成している、加算器２３と、リファレンスレベル検出回路２４とを備えている。【０１９４】
リファレンスレベル検出回路２４は、実際に検出されたアシンメトリと、目標とするアシンメトリとの差分をオフセットＯＦＳとして加算器２３へ出力する。加算器では、リファンレンスレベル検出回路２４より出力されるＯＦＳが、リミットイコライザ１５より出力される高域強調読取サンプル値系列ＲＳＨに加えられる。これにより、高域強調読取サンプル値系列ＲＳＨにおけるリファレンスレベルを所望の値に設定することができる。【０１９５】
尚、リファレンスレベル検出回路２４において読取信号より検出する信号は、上述したアシンメトリに限らず、β値であってもよい。或いは、ランレングスが最も短い記録データに対応する読取信号の振幅中心と、ランレングスが２番目に短い記録データに対応する読取信号の振幅中心とのずれを示す部分β値であってもよい。或いは、全ての種類のランレングスの記録データ（例えば、光ディスク１００がＤＶＤであればランレングス３Ｔから１１Ｔ及び１４Ｔの夫々の記録データであり、光ディスク１００がＢｌｕ−ｒａｙ  Ｄｉｓｃであればランレングス２Ｔから９Ｔの記録データ）に対応する夫々の読取信号の振幅中心（つまり、リファレンスレベルであり、本実施例においてはゼロレベル）に対する、ランレングスが最も短い記録データに対応する読取信号の振幅中心の乖離率を示すα値であってもよい。【０１９６】
このような構成を採用することで、第３実施例に係る記録装置３は、リファレンスレベルを変更することができ、その結果、記録補償後の読取信号のアシンメトリを自由に設定することができる。従って、所望のアシンメトリで且つ最適なジッタ値を実現するような記録補償動作を行うことができる。例えば、光ディスク１００がＤＶＤであれば、アシンメトリが＋５％付近となり且つジッタが最小となる状態を実現するような記録補償動作を行うことができる。同様に、光ディスクがＢｌｕ−ｒａｙ  Ｄｉｓｃであれば、アシンメトリが＋２．５％付近となり且つジッタが最小となる状態を実現するような記録補償動作を行うことができる。【０１９７】
また、記録補償前の読取信号のアシンメトリに依存することなく、記録補償後の読取信号のアシンメトリを所望の値に設定することができるため、記録装置３や光ディスク１００の個体差によるアシンメトリのばらつきがあったとしても、良好な記録補償動作を行うことができる。【０１９８】
また、検出されたアシンメトリと目標アシンメトリとの差分に相当するオフセットを加算する構成（つまり、記録補償前のアシンメトリにオフセットを加算することで、記録補償後に所望のアシンメトリを得る構成）を採用しているため、記録補償動作を複数回行うことで記録補償前のアシンメトリが変動する場合であっても、アシンメトリを所望の値に設定することができる。【０１９９】
更に、記録パワー（つまり、記録パルスの振幅）を調整してアシンメトリの調整を行う必要がなくなるため、記録条件の調整動作の簡素化を実現することができると共に、記録条件の調整動作に要する時間を短縮することができる。【０２００】
尚、第３実施例においては、リミットイコライザ１５から出力される高域強調読取サンプル値系列ＲＳＨを用いて記録補償動作を行っている。しかしながら、記録補償後の読取信号のアシンメトリを所望の値に設定することができるという観点からは、リミットイコライザ１５から出力される高域強調読取サンプル値系列ＲＳＨを用いて記録補償動作を行う必要は必ずしもない。つまり、プリイコライザ１４から出力される読取サンプル値系列ＲＳＣを用いて記録補償動作を行っても、記録補償後の読取信号のアシンメトリを所望の値に設定することができるという効果を享受することができることは言うまでもない。従って、第３実施例においては、リミットイコライザ１５は必ずしも備えていなくともよい。【０２０１】
尚、記録補償動作の結果は、記録動作の都度適宜光ディスク１００に記録されてもよい。つまり、ユーザによる記録動作が行われる際に適宜光ディスク１００に記録されてもよい。或いは、光ディスク１００の製造時に、エンボスピットやプリライト等により予め光ディスク１００に記録されていてもよい。この場合、例えば図２において示したＲＭＡ１１２に記録されてもよいし、或いはリードインエリア１１３内のＣＤＺ（Control Data Zone）に記録されてもよいし、或いは他のエリア部分に記録されてもよい。いずれの場合であっても、上述した効果を好適に享受することができる。この場合、記録補償動作の結果を示す情報を、記録補償動作を行った記録装置１（或いは、２又は３）を識別することができる識別情報と関連付けて記録することが好ましい。【０２０２】
このように、記録補償動作の結果を示す情報や記録補償動作を行った記録装置１を識別することができる識別情報を、光ディスク１００に記録することで、記録装置１によるデータパターンの記録が行われる際に、当該記録装置１の識別情報と対応する記録補償動作の結果を光ディスク１００から読み取ることができる。このため、読み取った記録補償動作の結果を用いて上述した記録条件を設定すれば、記録補償動作を行わなくても、光ディスク１００に対する記録動作において、上述した各種効果と同様の効果を享受することができる。【０２０３】
また、当該記録装置１の識別情報と対応する記録補償動作の結果が光ディスク１００に記録されていない場合であっても、当該記録装置１の識別情報に近い識別情報（言い換えれば、当該記録装置１の特性と似ている他の記録装置の識別情報）と対応する記録補償動作の結果を光ディスク１００から読み取り且つ読み取った記録補償動作の結果を用いて上述した記録条件を設定すれば、同様の効果を相応に享受することができる。或いは、当該記録装置１の識別情報に近い識別情報と対応する記録補償動作の結果に基づいて、簡易的な記録補償動作を行っても、同様の効果を相応に享受することができる。【０２０４】
更に、光ディスク１００がブランクである等の理由により、光ディスク１００に記録補償動作の結果を示す情報が記録されていなかったとしても、上述した各実施例に係る各記録装置を用いれば、記録補償動作を好適に行うことができる。そして、この結果得られる記録条件を、記録装置１の識別情報と対応させて、光ディスク１００に記録しておけば、次にデータパターンを記録する際には、わざわざ記録補償動作を行わなくても、光ディスク１００に対する記録において、上述した各種効果と同様の効果を享受することができる。【０２０５】
つまり、記録補償動作を行うことなく又は少なくとも１回記録補償動作を行えば、対応する記録装置１において、わざわざ記録補償動作を行わなくても、光ディスク１００に対する記録において、上述した各種効果と同様の効果を享受することができる。従って、記録補償動作を行う回数を減少させることができるため、記録補償動作に必要なエリアを節約することができる。【０２０６】
本発明は、上述した実施例に限られるものではなく、請求の範囲及び明細書全体から読み取れる発明の要旨或いは思想に反しない範囲で適宜変更可能であり、そのような変更を伴う記録装置及び方法、コンピュータプログラム、並びに記録媒体もまた本発明の技術的範囲に含まれるものである。
【図１】
2009016754.tif 000004
【図２】
2009016754.tif 000005
【図３】
2009016754.tif 000006
【図４】
2009016754.tif 000007
【図５】
2009016754.tif 000008
【図６】
2009016754.tif 000009
【図７】
2009016754.tif 000010
【図８】
2009016754.tif 000011
【図９】
2009016754.tif 000012
【図１０】
2009016754.tif 000013
【図１１】
2009016754.tif 000014
【図１２】
2009016754.tif 000015
【図１３】
2009016754.tif 000016
【図１４】
2009016754.tif 000017
【図１５】
2009016754.tif 000018
【図１６】
2009016754.tif 000019
【図１７】
2009016754.tif 000020
【図１８】
2009016754.tif 000021
【図１９】
2009016754.tif 000022
【図２０】
2009016754.tif 000023
【図２１】
2009016754.tif 000024
【図２２】
2009016754.tif 000025
【図２３】
2009016754.tif 000026
【国際調査報告】
2009016754.tif 000027
2009016754.tif 000028
2009016754.tif 000029
2009016754.tif 000030